(57)【特許請求の範囲】
【請求項１】
床上または卓上に設置され、部屋の側壁面の近傍に配置されて用いられる空気清浄機であって、
本体と、
前記本体に設けられ、室内の空気を取り入れるための吸込口と、
前記本体に設けられ、前記吸込口から取り入れられた空気中に存在する塵埃、および／または、物質を除去する除去手段と、
前記本体に設けられ、前記除去手段で処理された空気を室内に送り出すための吹出口と、
前記本体に設けられ、前記吸込口から前記吹出口まで空気を移動させるための送風手段と、
前記送風手段から前記吹出口に至るまで空気が流れる吹出流通路とを備え、
前記吹出口の中央位置から対向する最寄りの部屋の側壁面までの距離をＬ［ｍｍ］、前記吹出口の中央位置から部屋の天井面までの距離をＨ［ｍｍ］とし、距離Ｌが１００＜Ｌ＜６００の範囲で選ばれた位置に当該空気清浄機が配置されて用いられるときに、前記吹出口から送り出される空気を最初に室内の側壁面に到達させるために、前記吹出口から送り出される空気の流れる方向が鉛直上方向に対してなす角度θ［°］をｔａｎ−１（Ｌ／Ｈ）＜θ≦３５の範囲に設定することができるように、
前記吹出流通路の中央位置の延びる方向が、鉛直上方向に対して、ｔａｎ−１（Ｌ／Ｈ）＜θ≦３５の範囲内で選ばれた一つの値に固定された角度θ［°］で傾斜するように前記吹出流通路が構成されている、空気清浄機。
【請求項２】
前記送風手段はシロッコファンを含み、このシロッコファンの高さをｔとしたとき、前記吹出流通路を形成する壁面のうち、部屋の側壁面から最も遠い位置に配置される壁面において、鉛直方向に対して傾斜する方向に延びる壁面の長さがｔ／ｓｉｎθ以上である、請求項１に記載の空気清浄機。
【請求項３】
前記吹出流通路の断面積は、前記吹出口に近づくほど所定の割合で拡大する、請求項１または請求項２に記載の空気清浄機。
【請求項４】
鉛直上方向に対して傾斜する２面で挟まれた前記吹出流通路の幅は、前記吹出口に近づくほど傾斜する方向に縮小する、請求項３に記載の空気清浄機。
【請求項５】
当該空気清浄機を操作するための操作部をさらに備え、
前記吸込口が前記本体の後面に配置され、前記吹出口が前記本体の頂面に配置され、前記操作部は前記本体の前面側に配置される、請求項１から請求項４までのいずれか１項に記載の空気清浄機。
【請求項６】
前記吸込口が部屋の側壁面に対向するように配置される、請求項１から請求項５までのいずれか１項に記載の空気清浄機。
【発明の詳細な説明】
【技術分野】
【０００１】
この発明は、一般的には空気清浄機に関し、特定的には床上または卓上に設置され、部屋の側壁面の近傍に配置されて用いられる空気清浄機に関するものである。
【背景技術】
【０００２】
近年、住宅が高気密化し、汚染物質が室内に留まりやすい。このため、揮発性有機化合物によるシックハウス症候群、ハウスダストによるアレルギー症状などの問題が深刻化している。そこで、室内の空気環境を改善するため、空気清浄機や空気清浄機能付き空気調和機が使用される。室内の空気浄化方法としては、送風機によって汚染物質を空気清浄機に取り込み、フィルターで除去するものが一般的であるが、フィルターの代わりに電気集塵装置を用いたものや、イオンやオゾンを用いたもの等、室内の空気環境を改善するための検討が盛んに行われている。
【０００３】
さらに、空気清浄機の吹出口より送り出される気流によって室内の空気環境を改善する方法が提案されている。
【０００４】
たとえば、特開２００６−１７３４３号公報（特許文献１）では、横方向と前方向にも浄化空気を供給できるようにして室内の浄化を速やかに行うことのできる空気清浄機が提案されている。
【０００５】
また、特開２００６−５７９１９号公報（特許文献２）では、吹出口に設けた可動ルーバーを前後もしくは左右に自動でスイングさせて室内の気流を変化させながら、センサーでホコリやニオイの検知を行うことで、部屋の空気汚れをすばやく探すことができる空気清浄機が提案されている。
【０００６】
なお、上記に挙げた文献以外にも、多数の様々な工夫がなされた空気清浄機が各種提案されている。
【０００７】
たとえば、図３４と図３５は、従来の空気清浄機の一例を模式的に示す側面断面図である。
【０００８】
図３４に示すように、従来の空気清浄機１０の本体は筐体１０００によって保持されている。筐体１０００は床面Ｆの上に設置され、前面（正面）１１００と後面（背面）１２００と頂面（天面）１３００と、床Ｆの面に接触する底面１４００とを有する。筐体１０００の前面１１００側はパネル１１１０にて覆われ、パネル１１１０に対向する位置に吸込口１１２０が設けられている。筐体１０００は、後面１２００側を部屋の側壁面Ｗ１に対向して側壁面Ｗ１から３００ｍｍ程度の間隔を設けて床面Ｆの上に設置される。筐体１０００の頂面１３００には、吹出口１３１０が設けられている。吹出口１３１０は筐体１０００の幅方向に延びる略矩形状に形成され、鉛直上方に臨んで設けられる。筐体１０００の内部には、吸込口１１２０から吹出口１３１０に連通する吸込流通路１６００および吹出流通路１８００とからなる送風経路が形成されている。送風経路内には空気を送出する送風機１７００が配置されている。送風機１７００に用いられるファンとしてはシロッコファン１７１０が用いられる。パネル１１１０に対向する位置には、吸込口１１２０から吸い込まれた空気中に存在する塵埃、および／または、臭気（汚染物質）を捕集・除去するエアフィルタ１５００が設けられている。
【０００９】
なお、図３５に示す従来の空気清浄機２０では、筐体１０００の頂面１３００には操作部１９００が設けられ、操作部１９００の下で筐体１０００の内部には制御基板１９２０が設けられている。また、筐体１０００の後面１２００側の下部には、送風機１７００の下に電源基板１９３０が設けられている。
【００１０】
上記構成の空気清浄機において、運転を開始すると、図３４に示すように、シロッコファン１７１０が回転駆動され、吸込口１１２０から矢印Ｕで示される方向に空気が吸い込まれ、エアフィルタ１５００によって、空気中に存在する塵埃、および／または、臭気（汚染物質）が除去される。筐体１０００内の吸込流通路１６００に取り込まれ、エアフィルタ１５００によって塵埃が除去された空気は、吹出流通路１８００を流通して吹出口１３１０から矢印Ｖに示される方向に鉛直上方に向けて室内に送り出される。室内に送り出された空気は、部屋の天井面に到達し、部屋内を流通して空気清浄機１０の吸込口１１２０に吸い込まれる。
【特許文献１】特開２００６−１７３４３号公報
【特許文献２】特開２００６−５７９１９号公報
【発明の開示】
【発明が解決しようとする課題】
【００１１】
近年、室内の空気汚染の問題を解決することが強く望まれており、空気清浄機によって室内の空気環境をさらに改善する必要性がある。空気清浄機によって室内の空気環境を改善するために、上記の文献で提案された技術以外にも多数の様々な技術が検討されている。
【００１２】
しかしながら、室内の塵埃、および／または、臭気（汚染物質）を素早く除去するための従来の方法は、空気清浄機の風量を大きくして除去速度を向上させるといった、従来の延長線上の考えに基づいているので、消費電力が大きくなり、運転時の騒音も大きくなるという問題がある。
【００１３】
また、空気清浄機から放出される有効成分、たとえば、水蒸気、イオン、芳香性分といった微小粒子を、部屋の隅々まで到達させて、部屋内に有効成分を拡散したいという要望がある。この要望を実現するための方法も、空気清浄機の風量を大きくして有効成分の拡散速度を向上させるという、従来の延長線上の考えに基づいているので、上記と同様に、消費電力が大きくなり、運転時の騒音も大きくなるという問題がある。
【００１４】
さらに、特開２００６−１７３４３号公報（特許文献１）に記載の空気清浄機では、横方向および前方向に気流を送り出しているため、室内の家具等の障害物の影響を受けやすく、十分良好に空気の循環を行うことが困難である。また、横方向および前方向に気流を送り出しているため、床面の塵埃を巻き上げる恐れがある。さらに、不快なドラフト感により、風ストレスを人間に与える恐れがある。
【００１５】
さらにまた、特開２００６−５７９１９号公報（特許文献２）に記載の空気清浄機では、吹出口に配置され、自動で可動するルーバーと空気の汚れを検知するセンサーを必要としている。この空気清浄機において、ルーバーを自動でスイングさせるだけでは最適な気流を作ることが困難であり、一定量以上の空気汚れを検知した位置で可動ルーバーを停止させて室内の最適気流を作るとしても、よどんだポイントの空気がセンサーに到達するタイミングと可動ルーバーの位置を一致させることは困難であるので、効率良く、塵埃を捕集することは困難である。また、ルーバーで風向を変更すると、流路幅が減少するため、気流が損なわれるという問題がある。
【００１６】
上記の現状に鑑み、本発明者が室内の空気環境の改善を徹底追求して再度熟考すると、これまで行われてきた従来の考え方の範囲内における改善検討の中で、ずっと見落とされ続けてきた次の部分に改善の余地があることが判明した。
【００１７】
すなわち、床置き型（および／または卓上型）の空気清浄機の場合、従来においては空気清浄機の吹出口から鉛直上方に清浄化された空気を送り出し、部屋の空気を清浄化していた。また、摩擦帯電によって壁面が汚れるのを防止するために、空気清浄機を、壁面から一定の距離を隔てて設置していた。このため、清浄化された空気を鉛直上方へ送出すると、清浄化された空気は天井に衝突し、その一部は空気清浄機の背面へ回り込み、空気清浄機と、背面側の壁面との間の狭い空間を循環し、直ちに空気清浄機に吸引される。この、空気清浄機の背面に回り込む気流は、部屋全体へ行き渡ることが困難なため、無駄に送り出されているといえる。また、部屋全体へ行き渡る風量は、背面に回り込む気流の分だけ減少するため、集塵能力が損なわれるとともに、気流の到達距離も短くなるという問題がある。つまり、従来技術においては、気流の循環ロスが多く、すなわち、気流の循環効率が悪く、室内の空気環境の改善効果が小さいという問題がある。室内の空気環境の改善効果を高めるためには、ファンの回転数を高めて風量を増加すればよい。しかし、ファンの回転数を高めて風量を増加すると、騒音が大きくなるという新たな問題が生ずる。
【００１８】
この発明の目的は、気流の循環効率を高めることにより、風量を増加することなく、室内の空気環境の改善効果を大きく高めることができる空気清浄機を提供することである。
【課題を解決するための手段】
【００１９】
この発明に従った空気清浄機は、床上または卓上に設置され、部屋の側壁面の近傍に配置されて用いられる空気清浄機であって、本体と、この本体に設けられ、室内の空気を取り入れるための吸込口と、本体に設けられ、吸込口から取り入れられた空気中に存在する塵埃、および／または、物質を除去する除去手段と、本体に設けられ、除去手段で処理された空気を室内に送り出すための吹出口と、本体に設けられ、吸込口から吹出口まで空気を移動させるための送風手段と、送風手段から吹出口に至るまで空気が流れる吹出流通路とを備える。吹出口の中央位置から対向する最寄りの部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該空気清浄機が配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定することができるように、吹出流通路の中央位置の延びる方向が、鉛直上方向に対して、ｔａｎ−１（Ｌ／Ｈ）＜θ≦３５の範囲内で選ばれた一つの値に固定された角度θ［°］で傾斜するように吹出流通路が構成されている。
【００２０】
このように構成されることにより、床上または卓上に設置され、部屋の側壁面の近傍に配置される空気清浄機において、吹出口から清浄化された空気を、鉛直上方に対して所定の角度で送り出して部屋の側壁面に到達させ、次に、その空気を部屋の側壁面に沿わせて流通させ、さらに、天井、他の側壁面に沿わせて部屋内に清浄化された空気を循環させ、部屋内の空気を吸込口から吸引するように、清浄化された空気の吹出し気流の角度が設定される。この構成によると、吹出口から送り出される気流が直ちに空気清浄機に吸引される気流が少なくなるとともに、吹出口から送出される気流の横方向への広がりが抑制されるため、気流の到達距離が大幅に延長され、部屋内で空気清浄機から遠い位置における風速が大幅に増加する。また、部屋の壁面近傍の風速も大幅に増加する。
【００２１】
その結果、部屋内で空気清浄機から遠い位置における空気環境の改善効果を高めることができ、広範囲の室内空気を効果的に清浄化することができる。また、無駄に送り出されていた気流を減らすことができるため、少ない風量でも所望の空気環境の改善効果を得ることができる。少ない風量で同一の空気環境の改善効果が実現可能であるため、騒音を低減することができる。また、壁面に設けられた窓その他の隙間が部屋に存在し、部屋の気密性が低い場合、部屋の壁面近傍の風速を増加することができるため、陽圧効果が得られ、室外から室内へ侵入する粉塵の量を低減することができる。
【００２５】
また、吹出流通路の中央位置の延びる方向が、鉛直上方向に対して、ｔａｎ−１（Ｌ／Ｈ）＜θ≦３５の範囲内で選ばれた一つの値に固定された角度θ［°］で傾斜するように吹出流通路が構成されているので、空気清浄機の吹出口の位置で気流を部屋の側壁面側に曲げる必要がない。このため、吹出流通路の圧力損失がさらに低減し、消費電力がより改善されるとともに騒音がより低減される。さらに、吹出口から発生する音が直接使用者の居住領域へ伝播されないので、室内空気を効果的に清浄化するとともに、低騒音化することができる。
【００２６】
この発明の空気清浄機において、送風手段はシロッコファンを含み、このシロッコファンの高さをｔとしたとき、吹出流通路を形成する壁面において、鉛直方向に対して傾斜する方向に延びる壁面の長さがｔ／ｓｉｎθ以上であることが好ましい。
【００２７】
このようにすることにより、鉛直上方から見て吹出口からファンが見えないので、送風機から発生する騒音が吹出口から放出される前に、吹出流通路において少なくとも１回は壁面で反射する。音が反射・干渉すると、音のエネルギーが減衰されるので、吹出口から発生する音を抑制でき、低騒音化することができる。
【００２８】
この発明の空気清浄機において、吹出流通路の断面積は、吹出口に近づくほど所定の割合で拡大するように構成されるのが好ましい。たとえば、吹出流通路の奥行寸法が一定の場合、吹出流通路の断面積は、吹出口に近づくほど、すなわち、気流の下流に行くほど、約２０°の角度で拡大することが好ましい。
【００２９】
このように構成することにより、吹出流通路の壁面に沿う気流の剥離が抑制される。このため、流路抵抗が小さく、気流の運動エネルギーは効率良く静圧に変換される。すなわち、送風手段としての送風機（ファン）の受け持つ仕事である静圧上昇の一部が、上記の、運動エネルギーが変換されることにより生み出される静圧によってまかなわれるため、送風機（ファン）の仕事に必要となるエネルギーが少なくてすみ、少ない消費電力で所望の仕事をさせることができる。
【００３０】
さらに上記の空気清浄機において、鉛直上方向に対して傾斜する２面で挟まれた吹出流通路の幅は、吹出口に近づくほど傾斜する方向に縮小するように構成されるのが好ましい。すなわち、吹出流通路の奥行寸法は、吹出口に近づくほど、すなわち、気流の下流に行くほど、縮小し、吹出流通路は絞られた形状を有することが好ましい。
【００３１】
このように構成することにより、吹出流通路が絞られた形状を有するので、吹出流通路の断面積のアスペクト比が高くなり、それに伴い吹出口から送出される気流の断面のアスペクト比も高くなる。このとき、気流の流通する断面積が同じでも壁面に接する割合が増大するため、周囲の気流の影響を受けにくくなる。このため、流れが収束するので、気流のポテンシャルコアが延長され、それにより気流の到達距離が延長される。すなわち、上記の構成により、運動エネルギーが静圧に変換されて流速の低下した気流の到達距離を延長することができる。
【００３２】
この発明の空気清浄機は、当該空気清浄機を操作するための操作部をさらに備え、吸込口が本体の後面に配置され、吹出口が本体の頂面に配置され、操作部は本体の前面側に配置されることが好ましい。
【００３３】
このように構成することにより、操作部が本体の前面側に配置され、吸込口が本体の後面に配置されているので、使用者が無意識のうちに吸込口を部屋の側壁面側に向けて配置するように、使用者に当該空気清浄機を設置させることができる。
【００３４】
この発明の空気清浄機は、吸込口が部屋の側壁面に対向するように配置されることが好ましい。
【００３５】
このように構成することにより、吸込口から発生する音が直接使用者の居住領域へ伝播されないので、室内空気を効果的に清浄化するとともに、低騒音化することができる。
【発明の効果】
【００３８】
以上のようにこの発明によれば、部屋内で空気清浄機から遠い位置における空気環境の改善効果を高めることができ、広範囲の室内空気を効果的に清浄化することができる。また、無駄に送り出されていた気流を減らすことができるため、少ない風量でも所望の空気環境の改善効果を得ることができる。少ない風量で同一の空気環境の改善効果が実現可能であるため、騒音を低減することができる。さらに、壁面に設けられた窓その他の隙間が部屋に存在し、部屋の気密性が低い場合、部屋の壁面近傍の風速を増加することができるため、陽圧効果が得られ、室外から室内へ侵入する粉塵の量を低減することができる。
【発明を実施するための最良の形態】
【００３９】
（第１の実施形態）
（実施形態１−１）
以下に本発明の実施形態１−１について図面を参照して説明する。図１は本実施形態の空気清浄機を模式的に示す側面断面図である。図２は、図１に示される空気清浄機の吹出流通路を拡大して示す部分側面断面図である。図３は、図２のＩＩＩＡ方向から見た吹出流通路を示す断面図（Ａ）、図２の吹出流通路において角度関係を示す断面図（Ｂ）である。
【００４０】
図１に示すように、空気清浄機１は、床面Ｆの上または卓上に設置され、部屋の側壁面Ｗ１の近傍に配置されて用いられる空気清浄機である。空気清浄機１は、本体と、この本体に設けられ、室内の空気を取り入れるための吸込口１２２と、本体に設けられ、吸込口１２２から取り入れられた空気中に存在する塵埃、および／または、物質を除去する除去手段としてのエアフィルタ１５０と、本体に設けられ、エアフィルタ１５０で処理された空気を室内に送り出すための吹出口１３１と、本体に設けられ、吸込口１２２から吹出口１３１まで空気を移動させるための送風手段としての送風機１７０を備えている。
【００４１】
空気清浄機１の本体は筐体１００によって保持されている。筐体１００は床面Ｆの上に設置され、前面（正面）１１０と後面（背面）１２０と頂面（天面）１３０と、床面Ｆに接触する底面１４０とを有する。筐体１００の後面１２０は多数の格子状の吸込口１２２が設けられた穴あきパネル１２１にて覆われている。ここで、鉛直上方から見て、清浄化された空気が矢印Ｖで示される方向に送り出される側の空気清浄機１の側面を後面１２０側、その反対側を前面１１０側とする。
【００４２】
筐体１００は、後面１２０側を部屋の側壁面Ｗ１に対向させて側壁面Ｗ１から、たとえば、３００ｍｍの間隔を設けて床面Ｆの上に設置される。筐体１００の頂面１３０には、吹出口１３１が設けられている。吹出口１３１は筐体１００の幅方向に延びる略矩形状に形成され、後方上方に臨んで設けられている。
【００４３】
筐体１００の内部には、吸込口１２２から吹出口１３１に連通する吸込流通路１６０および吹出流通路１８０とかなる送風経路が形成されている。送風経路内には空気を送出する送風機１７０が配置されている。送風機１７０に用いられるファンとしては、シロッコファン１７１が用いられる。送風経路のうち、シロッコファン１７１の下流側には、シロッコファン１７１から吹出口１３１に至るまで空気が流れる吹出流通路１８０が形成されている。吹出流通路１８０によって、シロッコファン１７１により送出される空気を後方上方に案内する。吹出流通路１８０の断面積は、吹出口１３１に近づくほど、下流に行くほど拡大する。図２に示すように、吹出流通路１８０は、送風機１７０から吹出口１３１に連通し、上方案内部１８０ａと、傾斜部１８０ｂと、後方上方案内部１８０ｃから形成される。
【００４４】
図２に示すように、前壁１８１は、上方案内部１８０ａの終端１８１ａを始点とし、傾斜部１８０ｂの前面１８１ｂを経て、傾斜部１８０ｂの終端位置１８１ｃにて後方上方案内部１８０ｃに接続し、その接続部１８１ｃから吹出口１３１に至るまで上方へ行くほど後方になるように傾斜して形成された後方上方傾斜部１８１ｄを経て、筐体１００の頂面１３０との交点１８１ｅを終点とするように形成される。なお、前壁１８１の流れに沿う方向の長さ（始点：１８１ａから終点：１８１ｅまでの長さ）は、シロッコファン１７１の高さをｔとすると、たとえば、４．１ｔに設定される。また、前壁１８１の終点１８１ｅは、上方案内部１８０ａの終点１８２ａより後方になるように設定される。
【００４５】
後壁１８２は、上方案内部１８０ａの終端１８２ａを始点とし、傾斜部１８０ｂの後面１８２ｂを経て、傾斜部１８０ｂの終端位置１８２ｃにて後方上方案内部１８０ｃに接続し、その接続部１８２ｃから吹出口１３１に至るまで上方へ行くほど後方になるように傾斜し、なおかつ、上方へ行くほど前壁１８１との間の間隔を狭め、流路断面が絞られるように形成された後方上方傾斜部１８２ｄを形成し、筐体１００の頂面１３０との交点１８２ｅを終点とするように形成される。なお、後壁１８２の流れに沿う方向の長さ（始点：１８２ａから終点：１８２ｅまでの長さ）は、シロッコファン１７１の高さをｔとすると、たとえば、３．８ｔに設定される。
【００４６】
送風経路を構成する吹出流通路１８０は、図３に示すように設定される。すなわち、上方案内部１８０ａおよび傾斜部１８０ｂは奥行寸法一定で、その流路開き角α１は２０°、後方上方案内部１８０ｃの流路開き角α２は４０°、上方案内部１８０ａと傾斜部１８０ｂの接する面と、傾斜部１８０ｂと後方上方案内部１８０ｃの接する面のなす角（側断面と地面に垂直な面と前壁のなす角）βは２０°、後方上方案内部１８０ｃの前面側の後方上方傾斜部１８１ｄと後面側の後方上方傾斜部１８２ｄとのなす角γは８°に設定される。また、上方案内部１８０ａと傾斜部１８０ｂの接合部、傾斜部１８０ｂと後方上方案内部１８０ｃの接合部はそれぞれ接するように接合されるか、曲面で接合部を滑らかに繋いで構成される。なお、上記のα１は１０〜３０°程度、βは１５〜３５°程度、γは０〜１５°程度に設定されるのが望ましい。このようにすることで、各部における気流の剥離が最小限に抑えられ、流路抵抗が大幅に増大することなく滑らかに気流が流通する。
【００４７】
また、筐体１００の後面１２０側を部屋の側壁面Ｗ１に対向して側壁面Ｗ１から１００ｍｍの間隔を設けて床面Ｆに設置される場合は、βが１０〜２５°程度に設定されるのが望ましい。
【００４８】
穴あきパネル１２１に対向する位置には、吸込口１２２から吸い込まれた空気中に存在する塵埃、および／または、臭気（汚染物質）を捕集・除去するエアフィルタ１５０が設けられている。送風経路中のシロッコファン１７１とエアフィルタ１５０との間の吸込流通路１６０には、加湿装置（図示せず）が設けられてもよい。加湿装置（図示せず）が設けられる場合、特に気化式の加湿装置は圧力損失（送風抵抗）が大きいため、送風機によって静圧上昇させる仕事が大幅に増加し、所望の風量を得るためには回転数を大幅に上げる必要があり、運転時の騒音も大幅に大きくなる。本実施形態の空気清浄機によると、低騒音化が可能であるため、運転時の騒音を大きくすることなく、空気清浄機に加湿装置を設けることができる。送風経路中のシロッコファン１７１と吹出口１３１との間の吹出流通路１８０には、イオン発生装置（図示せず）が設けられてもよい。
【００４９】
上記のように構成された空気清浄機１において、運転を開始すると、図１に示すように、送風機１７０のシロッコファン１７１が回転駆動され、吸込口１２２から空気が吸い込まれ、エアフィルタ１５０によって空気中に存在する塵埃、および／または、臭気（汚染物質）が除去される。
【００５０】
筐体１００内に取り込まれ、エアフィルタ１５０によって塵埃が除去された清浄化空気は、シロッコファン１７１および吹出流通路１８０によって流れの向きを規制され、吹出流通路１８０の傾斜部１８０ｂから上方へ行くほど後方に傾斜した前壁１８１に滑らかに沿って、図１にて矢印Ｖに示す方向に後方上方に向けて室内に送出される。これにより、空気清浄機１は後方上方に清浄化空気を送出することになる。室内に送出された清浄化空気は、図１６に示すように、部屋Ｒの側壁面Ｗ１に到達する。その後、コアンダ効果により側壁面Ｗ１から天井面Ｓ、空気清浄機１に対向する側壁面Ｗ２、床面Ｆを順次伝って空気清浄機１の両側方から後面１２０側に配置された吸込口１２２に吸い込まれる。
【００５１】
図１〜図３に示される本発明の空気清浄機１と、図３４に示される従来の空気清浄機を用いて、集塵性能を測定した。集塵性能は気密性の高い部屋と気密性の低い部屋で測定した。
【００５２】
図４は、空気清浄機の配置と空気清浄機による部屋の集塵性能を測定する測定位置を示す図である。
【００５３】
図４に示すように本発明の空気清浄機１（または従来の空気清浄機１０）を部屋Ｒ内に以下のように配置した。吹出口１３１（または吹出口１３１０）の中央位置から部屋の側壁面Ｗ１までの距離Ｌを３７０ｍｍ、吹出口１３１（または吹出口１３１０）の中央位置から部屋の天井面Ｓまでの距離Ｈを２３８０ｍｍ、本発明の空気清浄機１では吹出口１３１から送り出される空気の流れる方向が鉛直上方に対してなす角度θをｔａｎ−１（Ｌ／Ｈ）＜θ≦３５の範囲内で選ばれた一つの値に固定された角度である２０°（あるいは、吹出流通路１８０の中央位置の延びる方向が鉛直上方向に対してなす角度θをｔａｎ−１（Ｌ／Ｈ）＜θ≦３５の範囲内で選ばれた一つの値に固定された角度である２０°）、従来の空気清浄機１０では吹出口１３１０から送り出される空気の流れる方向が鉛直上方に対してなす角度θを０°、すなわち、吹出口１３１０から送り出される空気の流れる方向を鉛直上方とした。部屋の集塵性能を測定する測定位置は、側壁面Ｗ１から約７ｍ離れた対向する側壁面Ｗ２の中央部とした。空気清浄機から送り出される空気の風量は６．２ｍ３／ｍｉｎとした。
【００５４】
図５は、集塵性能を測定するために用いられた気密性の高い部屋（Ａ）と気密性の低い部屋（Ｂ）を模式的に示す図である。
【００５５】
図５の（Ａ）に示すように、気密性の高い部屋では、空調機器が設けられた天井面Ｓの隙間Ｒ１と、ドアの隙間Ｒ２と、天井面Ｓと側壁面Ｗ１との間の隙間Ｒ３には目張りが施されることにより、室内と室外を連通する隙間がほぼなくされている。一方、図５の（Ｂ）に示すように、気密性の低い部屋では、上記の隙間Ｒ１、Ｒ２およびＲ３には目張りが施されていない。測定条件としては、気密性の高い部屋では室内の粉塵濃度が室外の粉塵濃度よりも高いとし、気密性の低い部屋では室内の粉塵濃度が室外の粉塵濃度よりも低いとした。
【００５６】
図６は、粉塵性能の測定結果として、本発明の空気清浄機１（図中▲）と従来の空気清浄機１０（図中■）を、約３０畳相当の図５の（Ａ）に示す気密性の高い部屋にて運転した場合の、空気清浄機の前面方向へ遠く離れた図４に示す測定位置における、粉塵濃度の減衰を表す図である。横軸は空気清浄機を運転させてからの時間（単位：ｍｉｎ）、縦軸は室内の粉塵濃度（単位：％）を示している。図６から、本発明の空気清浄機１が、従来技術の空気清浄機１０に対して、室内、特に空気清浄機から離れた位置の空気をより早く効果的に清浄することができることがわかる。また、同じ粉塵濃度に達する時間は、本発明の空気清浄機１が、従来技術の空気清浄機１０に対して、３分程度早いことがわかる。
【００５７】
また、図７は、本発明の空気清浄機１（図中▲）と従来の空気清浄機１０（図中■）を、約３０畳相当の図５の（Ｂ）に示す気密性の低い部屋にて運転した場合の、空気清浄機の前面方向へ遠く離れた図４に示す測定位置における、粉塵濃度の減衰を表す図である。縦軸と横軸は図６と同様である。図７から、本発明の空気清浄機１が、従来技術の空気清浄機１０に対して、室内、特に空気清浄機から離れた位置の空気をより早く効果的に清浄することができることがわかる。また、同じ粉塵濃度に達する時間は、本発明の空気清浄機１が、従来技術の空気清浄機１０に対して、時間が経過すればするほど早くなることがわかる。つまり、気密性の高い部屋に比べて、気密性の低い部屋においては、本発明の空気清浄機１が、従来技術の空気清浄機１０に対して、空気清浄効果の点で大きな優位性を示している。
【００５８】
以上のように、本発明によると、部屋Ｒ内の空気、特に空気清浄機１から離れた側壁面Ｗ２付近の空気を効果的に清浄することができる。
【００５９】
次に、上記の図６と図７に示すように本発明の空気清浄機の集塵性能が向上するメカニズムについて説明する。
【００６０】
まず、本発明の構成により、部屋の中を流通する気流にどのような変化が生じるのかについて以下の実験結果に基づいて説明する。
【００６１】
図８は、空気清浄機の配置と空気清浄機による風速を測定する測定位置を示す図である。
【００６２】
図８に示すように、図３４に示す従来の空気清浄機１０を部屋Ｒ内に以下のように配置した。吹出口１３１０の中央位置から部屋の側壁面Ｗ１までの距離Ｌを３７０ｍｍまたは７０ｍｍ、吹出口１３１０の中央位置から部屋の天井面Ｓまでの距離Ｈを１８８０ｍｍ、従来の空気清浄機１０の吹出口１３１０から送り出される空気の流れる方向が鉛直上方に対してなす角度θを０°、２０°、３０°、または、４０°とした。このように配置された従来の空気清浄機１０を運転して天井面Ｓに沿った風速を測定した。風速を測定する測定位置は、側壁面Ｗ１からそれぞれ、１０００ｍｍ、１５００ｍｍ、２０００ｍｍ、２５００ｍｍ離れた天井面Ｓの４つの位置とした。空気清浄機から送り出される空気の風量は４．３ｍ３／ｍｉｎとした。
【００６３】
図９は、風速の測定結果を示す図である。横軸は、測定位置として側壁からの距離（単位：ｍｍ）、縦軸は、その測定位置における天井面に沿った風速（単位：ｍ/ｓ）を示している。
【００６４】
図９に示された測定結果において、まず、部屋の側壁面Ｗ１から距離３００ｍｍの間隔をあけて空気清浄機１０を床面Ｆに設置したとき（Ｌ＝３７０ｍｍ）において、空気清浄機１０の吹出口１３１０から気流が鉛直上方（θ＝０°）に送出される場合（図中●）と、空気清浄機１０の吹出口１３１０から気流が斜め後方（θ＝２０°）に送出される場合（図中▲）、斜め後方（θ＝３０°）に送出される場合（図中◆）、斜め後方（θ＝４０°）に送出される場合（図中■）を比較する。図９から、吹出口１３１０から送出する気流を斜め後方にθ＝２０°〜３０°程度に設定することにより、気流を鉛直上方（θ＝０°）に送出した場合に比べて、天井面Ｓ近傍の風速が大幅に増加していることがわかる。また、θを４０°程度にすると、天井面Ｓ近傍の風速は鉛直上方（θ＝０°）に送出した場合とほぼ同等となる。
【００６５】
この現象を以下の比較により明らかにする。まず、図９において、空気清浄機１０の後面１２００側を部屋の側壁面Ｗ１に面して床面Ｆに設置し、空気清浄機１０の吹出口１３１０から気流が鉛直上方（θ＝０°）に送出される場合において、側壁面Ｗ１から距離３００ｍｍの間隔をあけて空気清浄機１０を配置した場合（図中●）と、側壁面Ｗ１からの距離を０ｍｍにして、空気清浄機１０の後面１２００を側壁面Ｗ１に接して配置した場合（Ｌ＝７０ｍｍ）（図中○）を比較する。図９から、側壁面Ｗ１から距離３００ｍｍの間隔をあけて空気清浄機１０を設置した場合（図中●）に対し、側壁面Ｗ１からの距離を０ｍｍにして、空気清浄機１０の後面１２００を側壁面Ｗ１に接して配置した場合（図中○）の方が、空気清浄機１０の前面側１１００の天井面Ｓに沿った風速は大きくなっていることがわかる。これは、側壁面Ｗ１から距離３００ｍｍの間隔をあけて空気清浄機１０を設置した場合、気流の一部が空気清浄機１０の後面１２００側へ回り込み、前面１１００側へ流れる気流が損なわれていることを示している。すなわち、空気清浄機の設置位置によって、室内の気流に大きな影響を与えることが図９によって裏付けられる。
【００６６】
また、図９において、側壁面Ｗ１からの距離を０ｍｍにして、空気清浄機１０の後面１２００を側壁面Ｗ１に接して配置し、空気清浄機１０の吹出口１３１０から気流が鉛直上方（θ＝０°）に送出される場合（図中○）と、部屋の側壁面Ｗ１から距離３００ｍｍの間隔をあけて空気清浄機１０を床面Ｆに配置し、空気清浄機１０の吹出口１３１０から気流が斜め後方（θ＝２０°）に送出される場合（図中▲）を比較する。図９から、空気清浄機１０の後面１２００を側壁面Ｗ１に接して配置し、空気清浄機１０の吹出口１３１０から気流が鉛直上方（θ＝０°）に送出される場合（図中○）に対し、空気清浄機１０の後面１２００側を側壁面Ｗ１から距離３００ｍｍの間隔をあけて配置し、気流が斜め後方（θ＝２０°）に送出される場合（図中▲）の方が、空気清浄機の天井面Ｓに沿った風速は大きくなっていることがわかる。これは、空気清浄機１０の後面１２００を側壁面Ｗ１に接して配置し、気流が鉛直上方（θ＝０°）に送出される場合、側壁面Ｗ１によって気流の拡散は抑制されるが、吹き出し直後から気流が側壁面Ｗ１の粘性抵抗の影響を受けるためである。これに対し、側壁面Ｗ１から３００ｍｍの間隔を設けて空気清浄機１０を設置し、気流が斜め後方（θ＝２０°）に送出される場合、側壁面Ｗ１によって気流の拡散が抑制され、かつ、側壁面Ｗ１に衝突するまで側壁面Ｗ１の粘性抵抗の影響を受けないため、空気清浄機１０の前面１１００側の天井面Ｓに沿った風速が損なわれにくい。
【００６７】
さらに、図９において、側壁面Ｗ１から３００ｍｍの間隔を設けて床面Ｆに設置し、気流が斜め後方（θ＝２０°）に送出される場合（図中▲）、斜め後方（θ＝３０°）に送出される場合（図中◆）、斜め後方（θ＝４０°）に送出される場合（図中■）を比較する。図９から、θが大きいほど、天井面Ｓに沿った風速は小さくなっていることがわかる。これは、θが大きいほど、側壁面Ｗ１に沿って流れる距離が長くなり、側壁面Ｗ１の粘性抵抗の影響を受けやすくなること、および、側壁面Ｗ１に衝突する際に気流の運動エネルギーが損なわれやすく、また、気流の進行方向に対して横方向への広がりが大きくなる（図１１を参照して後述する）ためである。
【００６８】
以上、説明したように、吹出口から送出される気流の角度と空気清浄機の設置位置によって、室内の気流は大きな影響を受けることが図９によって裏付けられる。
【００６９】
本発明の空気清浄機においては、吹出口の中央位置から部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該空気清浄機が配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【００７０】
ここで、θの上限値は、図９の結果に基づいて３５°に設定される。θの下限値は、図８において、吹出口１３１０の中央位置と、部屋Ｒの側壁面Ｗ１と天井面Ｓとが交差する線上の点Ｐとを結んだ直線がなす角度であるｔａｎ−１（Ｌ／Ｈ）に設定される。角度θがｔａｎ−１（Ｌ／Ｈ）以上であると、吹出口１３１０から送り出される空気は、少なくとも側壁面Ｗ１に最初に衝突するからである。
【００７１】
ところで、θが１５°未満の場合においては、天井面Ｓの高さと、側壁面Ｗ１からの距離によって集塵性能が大幅に高まる場合と、大幅に損なわれる場合があるので、注意が必要である。
【００７２】
例えば、側壁面Ｗ１から３００ｍｍの間隔を設けて空気清浄機を床面Ｆに設置し、気流が斜め後方（θ＝１０°）に送出される場合、吹出口から送出された気流は側壁面Ｗ１ではなく、まず天井面Ｓに衝突する。斜め方向から天井面Ｓに衝突するため、気流は、衝突した面に対してなす角度が鋭角になる方向（空気清浄機の前面側）には流れにくい。つまり、衝突した面に対してなす角度が鈍角になる方向（空気清浄機の後面側）に流れやすいため、気流が鉛直上方（θ＝０°）に送出される場合よりも空気清浄機の前面側へ流れる気流が損なわれてしまう。すなわち、気流の一部は空気清浄機の後面側へ回り込み、空気清浄機の後面側と側壁面との間の狭い空間を循環し、直ちに空気清浄機に吸引される。この、空気清浄機の後面側に回り込む気流は、部屋全体へ行き渡ることが困難なため、無駄に送出されているといえる。また、部屋全体へ行き渡る風量は、後面側に回り込む気流の分だけ減少するため、集塵能力が損なわれるとともに、気流の到達距離も短くなってしまう。
【００７３】
しかし、側壁面Ｗ１から１００ｍｍの間隔を設けて空気清浄機を床面Ｆに設置し、気流が斜め後方（θ＝１０°）に送出される場合、吹出口から送出された気流は、まず側壁面に衝突する。従って、この場合、側壁面Ｗ１から３００ｍｍの間隔を設けて空気清浄機を床面Ｆに設置し、気流が斜め後方（θ＝２０°）に送出される場合とほぼ同等の効果が得られる。
【００７４】
次に、側壁面Ｗ１に対して従来の空気清浄機の吹出口から送出される気流を角度θにて吹き付け、その気流の進行方向の側壁Ｗ１近傍の位置と、気流が側壁面Ｗ１に吹き付けられる位置の進行方向に対して直交する横方向の側壁面Ｗ１近傍の位置のそれぞれにおいて、上記の角度θを変化させたときの風速の変化を調べた。
【００７５】
図１０は、空気清浄機の配置と空気清浄機による風速を測定する測定位置を示す図である。図１０の（Ａ）において矢印Ｂの方向から見た図を（Ｂ）に示す。
【００７６】
図１０に示すように、図３４に示す従来の空気清浄機１０を側壁面Ｗ１近傍に配置し、空気清浄機１０の吹出口から送出される気流Ｖを側壁面Ｗ１に向かって吹き付ける角度θを変化させた。図１０の（Ａ）と（Ｂ）に示すように、風速の測定点として、その気流の進行方向の側壁面Ｗ１近傍の位置を進行方向計測点■とし、図１０の（Ｂ）に示すように、気流が側壁面Ｗ１に吹き付けられる位置の進行方向に対して直交する横方向の側壁面Ｗ１近傍の位置を横方向測定点▲とした。
【００７７】
図１１は、進行方向計測点■と横方向測定点▲における風速の測定結果を示す図である。横軸は気流Ｖを側壁面Ｗ１に向かって吹き付ける角度θ、すなわち、気流Ｖと側壁面Ｗ１とのなす角度θ（単位：°）、縦軸は、その角度θのときの風速（単位：ｍ/ｓ）を示している。図１１から、吹き付け角度θが小さいほど、横方向測定点▲における風速が小さいので、気流の横方向への広がりは小さく、側壁面Ｗ１に対してθ＝９０°、すなわち、側壁面Ｗ１に対して気流Ｖを直角に吹き付けた場合には、横方向測定点▲における風速が最も大きいので、気流の横方向への広がりは最も大きくなることがわかる。
【００７８】
次に、従来の空気清浄機の吹出口から気流を角度θ＝０°、２０°にて送出し、空気清浄機の後面側を部屋の側壁面Ｗ１に対向して床面Ｆに設置し、側壁面Ｗ１からの距離Ｌを変化させたときに、空気清浄機の前面側から１０００ｍｍ、つまり側壁面Ｗ１からＬ＋１０００ｍｍ離れた天井面Ｓの風速がどのように変化するかについて調べた。
【００７９】
図１２は、空気清浄機の配置と空気清浄機による風速を測定する測定位置を示す図である。
【００８０】
図１２に示すように、図３４に示す従来の空気清浄機１０を部屋Ｒ内に以下のように配置した。吹出口１３１０の中央位置から部屋の側壁面Ｗ１までの距離Ｌを７０ｍｍ、１７０ｍｍ、３７０ｍｍ、４７０ｍｍ、５７０ｍｍ、または、７７０ｍｍ、吹出口１３１０の中央位置から部屋の天井面Ｓまでの距離Ｈを１８８０ｍｍ、従来の空気清浄機１０の吹出口１３１０から送り出される空気の流れる方向が鉛直上方に対してなす角度θを０°、または、２０°とした。このように配置された従来の空気清浄機１０を運転して天井面Ｓに沿った風速を測定した。風速を測定する測定位置は、側壁面Ｗ１から、Ｌ＋１０００ｍｍ離れた天井面Ｓの位置とした。空気清浄機から送り出される空気の風量は４．３ｍ３／ｍｉｎとした。
【００８１】
図１３は、風速の測定結果を示す図である。
【００８２】
図１３（Ａ）は、従来の空気清浄機１０の吹出口１３１０から気流を角度θ＝０°、２０°にて送出し、空気清浄機１０の後面１２００側を部屋の側壁面Ｗ１に対向して床面Ｆに設置（Ｈ＝１８８０ｍｍ）し、その側壁面からの距離Ｌを変化させたときに、空気清浄機１０の前面１１００側から１０００ｍｍ、つまり側壁面Ｗ１からＬ＋１０００ｍｍ離れた天井面Ｓの風速がどのように変化するかを示す図である。すなわち、Ｌの変化に伴って、空気清浄機の設置位置だけでなく、測定位置も移動するように測定した。横軸は、側壁Ｗ１から吹出口１３１０の中央位置までの距離（単位：ｍｍ）、縦軸は、空気清浄機の前面側から１０００ｍｍ（側壁Ｗ１からＬ＋１０００ｍｍ）離れた天井面に沿った風速（単位：ｍ/ｓ）を示している。また、図１３（Ｂ）は、図１３（Ａ）の横軸である「側壁面Ｗ１から吹出口１３１０の中央位置までの距離Ｌ（単位：ｍｍ）」の代わりに、「気流が通過する吹出口１３１０の中央位置から測定位置までの距離（単位：ｍｍ）」を横軸にして、天井面に沿った風速（単位：ｍ/ｓ）の変化を示したものである。このように表現すると、気流を角度θ＝２０°にて送出する場合には、距離Ｌの増加に伴い気流が通過する吹出口１３１０の中央位置から測定位置までの距離も増加するが、気流を角度θ＝０°にて送出する場合には、距離Ｌを変化させても気流が通過する吹出口１３１０の中央位置から測定位置までの距離は変化しないことがわかる。
【００８３】
図１３（Ａ）において、空気清浄機１０の吹出口１３１０から気流を角度θ＝０°にて送出する場合（図中●）と、角度θ＝２０°にて送出する場合（図中▲）を比較する。図１３（Ａ）から、Ｌ＜１００ｍｍではθ＝０°の方が、１００＜Ｌ＜６００ｍｍではθ＝２０°の方が、Ｌ＞６００ｍｍではθ＝０°の方が空気清浄機１０の前面１１００側から１０００ｍｍ、つまり側壁面Ｗ１からＬ＋１０００ｍｍ離れた天井面Ｓ近傍の風速が大きくなっている。上述したように、図６、図７、図９に示した結果から、天井面Ｓ近傍の風速が大きいほど集塵性能が高くなるので、すなわち、θ＝２０°の場合（本実施形態の空気清浄機に相当する）は、θ＝０°（従来の空気清浄機に相当する）に対して、１００＜Ｌ＜６００ｍｍの領域では、集塵性能において優位性を有することがわかる。
【００８４】
以下に、これらの数値限定の臨界的意義について述べる。
【００８５】
まず、空気清浄機の吹出口から気流を角度θ＝０°にて送出する場合（従来の空気清浄機に相当する）について詳細に説明する。上述の通り、図１３（Ｂ）においては、距離Ｌの変化に伴って、気流が通過する吹出口中央から測定位置までの距離は変化しない。従って、図１３（Ａ）のＬ＞４００ｍｍの領域において、天井面に沿った風速はほぼ一定となる。但し、図１３（Ａ）のＬ＜４００ｍｍの領域においては、空気清浄機１０と側壁面Ｗ１との距離が近くなり、側壁面Ｗ１の影響が現れる。すなわち、空気清浄機１０と側壁面Ｗ１との距離が近いほど（距離Ｌが小さいほど）、空気清浄機の後面に回り込む気流は減少してロスが少なくなるため、測定位置における風速は増加する。
【００８６】
次に、空気清浄機の吹出口から気流を角度θ＝２０°にて送出する場合（本実施形態の空気清浄機に相当する）について詳細に説明する。この場合、距離Ｌの増加に伴い気流が通過する吹出口の中央位置から測定位置までの距離も増加するので、距離Ｌの増加に伴い計測位置における風速は低下する。但し、図１３（Ａ）、（Ｂ）のＬ＜１７０ｍｍの領域においては、空気清浄機１０と側壁面Ｗ１との距離が近くなり、側壁面Ｗ１の影響が現れる。すなわち、空気清浄機１０と側壁面Ｗ１との距離が近いほど（距離Ｌが小さいほど）、気流が側壁面Ｗ１に衝突し、運動エネルギーが損なわれて、その分のロスが大きくなるため、測定位置における風速は減少する。なお、１７０＜Ｌ＜３７０ｍｍの領域において、計測位置における風速が最も増加する。
【００８７】
次に、角度θ＝０°、２０°の場合を比較する。
【００８８】
まず、空気清浄機１０と側壁面Ｗ１との距離が近く、側壁面Ｗ１の影響が強く表れるＬ＜１００ｍｍの領域において、θ＝２０°で吹出口から気流を送出すると、気流が側壁面Ｗ１に衝突し、運動エネルギーが損なわれるデメリットが大きくなり、測定位置における風速は比較的遅い。θ＝０°の場合は、空気清浄機１０の後面に回り込む気流は大きく減少してロスが大幅に少なくなるメリットのため、測定位置における風速は比較的速い。従って、Ｌ＜１００ｍｍの領域においては、θ＝２０°の場合に比べてθ＝０°の場合、天井面近傍の風速が大きくなり、集塵性能が高くなる。
【００８９】
次に、１００ｍｍ＜Ｌ＜６００ｍｍの領域において、θ＝０°で吹出口から気流を送出すると、気流はまず天井面Ｓに衝突する。鉛直方向から天井面Ｓに衝突するため、気流は四方八方に分散してしまう。つまり、空気清浄機１０の後面側へ気流の一部が回り込んでしまうロスのデメリットが大きい。これに対して、θ＝２０°の場合は、吹出口から送出された気流はまず側壁面Ｗ１に衝突する。斜め方向から側壁面Ｗ１に衝突するため、気流は衝突した面に対してなす角度が鋭角になる方向（床面Ｆに向かう方向、後述の図１６において矢印Ｄで示す方向で、このとき、θ１は鋭角である）には流れにくいため、気流は衝突した面に対してなす角度が鈍角になる方向（天井面Ｓに向かう方向、後述の図１６において矢印Ｃで示す方向で、このとき、θ２は鈍角である）に収束する。つまり、空気清浄機１０の後面側へ回り込む気流はほとんどない。このメリットが非常に大きい。但し、空気清浄機１０の前面側へ導かれる距離はθ＝０°に比べて長くなるが、このデメリットは、上記のメリットに比べて小さい。従って、θ＝０°で空気清浄機１０の後面側へ気流の一部が回り込んで損失する量と、θ＝２０°で空気清浄機１０の前面側へ導かれる距離が長くなることによって損失する量の大小関係により、天井面Ｓに沿った風速に差が生じる。１００＜Ｌ＜６００ｍｍの領域においては、θ＝２０°の方がθ＝０°に比べて損失する量が少ないため、θ＝２０°の方が天井面Ｓ近傍の風速が大きくなり、集塵性能が高くなる。なお、両者の差がもっとも大きくなるのは、図１３（Ａ）から、Ｌ＝３７０ｍｍ（側壁面Ｗ１と空気清浄機１０の後面との距離が３００ｍｍ）の場合である。
【００９０】
また、Ｌ＞６００ｍｍの領域において、θ＝２０°で吹出口から気流を送出すると、距離Ｈの大きさによっては、気流はまず側壁面Ｗ１に到達する場合と、天井面Ｓに到達する場合がある。
【００９１】
まず、側壁面Ｗ１に到達する場合、斜め方向から側壁面Ｗ１に衝突するため、気流の運動エネルギーが損なわれにくく、また、気流は衝突した面に対してなす角度が鋭角になる方向（床面Ｆに向かう方向）には流れにくいため、衝突した面に対してなす角度が鈍角になる方向（天井面Ｓに向かう方向）に収束するが、空気清浄機１０の前面側へ導かれる距離が長くなるため、デメリットが非常に大きくなる。
【００９２】
一方、天井面Ｓに到達する場合、気流は衝突した面に対してなす角度が鋭角になる方向（空気清浄機１０の前面側）には流れにくく、衝突した面に対してなす角度が鈍角になる方向（空気清浄機１０の後面側）に流れやすい。つまり、空気清浄機１０の後面側へ流れる気流が多くなるため、空気清浄機１０の前面側の天井面Ｓに沿った風速は大きく損なわれる。これに対して、θ＝０°で吹出口から気流を送出する場合、上記に示す通り、Ｌ＞４００ｍｍの領域においては、距離Ｌの大きさに関わらず、デメリットはほぼ一定となる。従って、Ｌ＞６００ｍｍの領域においては、θ＝０°のデメリットが、θ＝２０°のデメリットに対して小さくなるため、θ＝０°の方が天井面Ｓ近傍の風速が大きくなり、集塵性能が高くなる。
【００９３】
すなわち、上記により、部屋の側壁面Ｗ１近傍（１００ｍｍ＜Ｌ＜６００ｍｍ）に配置される空気清浄機において、本発明の空気清浄機の構成では天井面Ｓ近傍の風速が大きくなり、効果的に室内空気を清浄化できることが図１３（Ａ）、（Ｂ）の結果によって裏付けられる。
【００９４】
また、図１３は、Ｈ＝１８８０ｍｍ、すなわち、床面Ｆから天井面Ｓの高さが２．５ｍである一般的な部屋における風速の測定結果の一例を示している。吹出口の中央位置から部屋の天井面Ｓまでの距離Ｈが変化しても、気流が天井面Ｓに到達するまでの距離の増減は、気流の吹出し角度θによらず、距離Ｈに依存する。従って、部屋の側壁面Ｗ１近傍（１００ｍｍ＜Ｌ＜６００ｍｍ）に配置される空気清浄機において、吹出口の中央位置から部屋の天井面Ｓまでの距離Ｈが長くなれば、それに応じて風量を大きくする必要はあるが、本発明の空気清浄機では、吹出口の中央位置から部屋の天井面Ｓまでの距離に関係せず、図１３と同様の効果が得られるため、天井面Ｓ近傍の風速が大きくなり、効果的に室内空気を清浄化することができる。
【００９５】
ここで、空気清浄機の適用床面積をＡ（ｍ２）、部屋の高さをｈ（ｍ）、部屋の体積をＶ（ｍ３）、空気清浄機の風量をＱ（ｍ３/ｍｉｎ）、空気清浄機の集塵効率をη（％）とすると、日本電機工業会規格（JEM1467）において、
Ａ＝７．７×Ｑ×η／１００
と規定されており、適用床面積Ａは風量Ｑに比例する。
【００９６】
Ａ∝Ｑ
また、部屋の体積Ｖは床面積Ａと部屋の高さｈに比例する。
【００９７】
Ｖ∝Ａ
Ｖ∝ｈ
従って、部屋を効果的に清浄化するためには、部屋の体積、つまり、床面積、部屋の高さに応じて風量を変化させる必要がある。
【００９８】
Ｑ∝ｈ
すなわち、部屋の側壁面近傍（１００ｍｍ＜Ｌ＜６００ｍｍ）に配置される空気清浄機において、部屋の高さ、つまり、吹出口の中央位置から部屋の天井面Ｓまでの距離Ｈに比例して風量Ｑを変化させれば、本発明の空気清浄機では、吹出口の中央位置から部屋の天井面Ｓまでの距離Ｈに関係せず、図１３と同様の効果が得られるため、天井面Ｓ近傍の風速が大きくなり、効果的に室内空気を清浄化することができる。
【００９９】
以上、説明したように、図９、図１１の結果から、空気清浄機の吹出口から送出される気流の角度、および、空気清浄機の設置位置によって、室内の空気の流れ、すなわち、天井面Ｓ近傍の風速分布、および、気流が側壁面Ｗ１に吹き付けられた際の気流の横方向への広がりが大きく変わる。これらの現象を踏まえて、本発明の空気清浄機と従来の空気清浄機における気流の挙動を説明する。
【０１００】
すなわち、従来の空気清浄機のように、空気清浄機の吹出口から気流が鉛直上方（θ＝０°）に送出される場合、吹出口から送出された気流はまず天井面に衝突する。垂直方向から天井面に衝突するため、気流の運動エネルギーが大きく損なわれ、また、気流は四方八方にほぼ均等に分散してしまう。つまり、空気清浄機の後面側へ気流の一部が回り込んでしまう。このため、空気清浄機の前面側の天井面に沿った風速は著しく低下する。すなわち、空気清浄機の前面側へ流れる気流（風量）が損なわれている。また、気流が天井面に衝突した際に気流は四方八方にほぼ均等に分散してしまうので、気流の方向を制御することができず、空気を清浄化したい空間（居住空間、人が存在する空間）側へ意図して気流を送出することができない。
【０１０１】
これに対して、本発明の空気清浄機のように、空気清浄機の吹出口から気流が斜め後方に送出される場合、吹出口から送出された気流はまず側壁面に衝突する。斜め方向から側壁面に衝突するため、気流の運動エネルギーが損なわれにくく、また、気流は衝突した面に対してなす角度が鋭角になる方向（床面に向かう方向）には流れにくいため、衝突した面に対してなす角度が鈍角になる方向（天井面に向かう方向）に収束する。つまり、空気清浄機の後面側へ回り込む気流はほとんどない。また、図１１の結果から、気流が側壁面に斜め方向から衝突する箇所においては、気流の横方向への拡散が少ないため、気流は分散しにくく、天井面に向かう方向へ流れる気流はあまり損なわれない。このため、吹出口から送出される気流の角度にもよるが、空気清浄機の前面側の天井面に沿った風速はあまり損なわれない。すなわち、空気清浄機の前面側へ流れる気流（風量）はあまり損なわれない。さらに、気流が側壁面に衝突した際に気流は衝突した面に対してなす角度が鈍角になる方向（天井面に向かう方向）へ収束するため、気流の方向を制御することができる。以上により、本発明の構成により、気流の到達距離が大幅に延長されるので、空気を清浄化したい空間（居住空間、人が存在する空間）側へ意図して気流を送出することができる。
【０１０２】
次に、本発明の空気清浄機の構成によって部屋の中を流通する気流が上記のように変化した場合、従来技術の空気清浄機に対して、室内、特に空気清浄機から離れた位置の空気をいかにして効果的に清浄化することができるのかについて、そのメカニズムを説明する。
【０１０３】
図１４は、従来技術の空気清浄機の室内気流を模式的に示した断面図である。また、図１５は、従来技術の空気清浄機の室内気流（壁面に沿った気流）を模式的に示した展開図である。
【０１０４】
図１４に示すように、従来技術の空気清浄機１０から送出される気流は、吹出口から清浄化空気が真上（鉛直上方）に吹き出され、天井面Ｓに鉛直方向から衝突する。このとき、気流は天井面Ｓに鉛直方向から衝突するため、衝突する際に運動エネルギーが大きく損なわれ、また、気流は四方八方にほぼ均等に分散する。
【０１０５】
したがって、図１５に示される気流の関係は次の式で表わされる。
【０１０６】
Ａ１≒Ａ２≒Ａ３≒Ａ４≒Ａ５≒Ａ６≒Ａ７≒Ａ８
このとき、その一部Ａ４、Ａ５、Ａ６（約１／４の気流）は空気清浄機の背後に回り込んでしまい、直ちに空気清浄機に吸引される。すなわち、一部（約１／４）の気流Ａ４、Ａ５、Ａ６は部屋全体へ行き渡ることが困難なため、室内空気の清浄化にほとんど寄与しなくなってしまう。従って、従来技術の空気清浄機から送出される気流には、無駄に送出していた気流があるので、従来技術の空気清浄機では効果的に室内空気を清浄化することができない。
【０１０７】
同様の観点で、本発明の空気清浄機を考えると、次のようになる。
【０１０８】
図１６は本発明の空気清浄機の室内気流を模式的に示した断面図である。また、図１７は本発明の空気清浄機の室内気流（壁面に沿った気流）を模式的に示した展開図である。
【０１０９】
図１６に示すように、本発明の空気清浄機１から送出される気流は、吹出口から清浄化空気が斜め後方に吹き出され、まず、背後の側壁面Ｗ１に衝突する。気流は、背後の側壁面Ｗ１に鉛直方向からではなく、側壁面Ｗ１に対して斜め方向から衝突するため、衝突する際に運動エネルギーが損なわれにくい。また、気流は背後の側壁面Ｗ１に沿って滑らかに天井面Ｓに向かう方向（図１６に示す矢印Ｃの方向）へと流れる。
【０１１０】
このとき、図１７に示す気流の関係は次の式で表わされる。
【０１１１】
Ｂ１＞Ｂ２≒Ｂ８＞Ｂ３≒Ｂ７＞Ｂ４≒Ｂ６＞＞Ｂ５
このとき、気流は衝突した面に対してなす角度が鋭角になる方向（床面Ｆに向かう方向、後述の図１６において矢印Ｄで示す方向で、このとき、θ１は鋭角である）には流れにくいため、空気清浄機の背後に回り込む気流は従来に比べて大幅に減少する。
【０１１２】
すなわち、図１７に示す気流の関係は次の式で表わされる。
【０１１３】
Ａ５＞＞Ｂ５
すなわち、気流のほとんど全てが室内空気の清浄化に寄与することになる。従って、本発明の空気清浄機から送出される気流によって効果的に室内空気を清浄化することが可能となる。
【０１１４】
本発明の構成による効果は、特に空気清浄機の前面方向へ遠く離れた位置（広い空間）で、より優位性を発揮する。なぜならば、従来の空気清浄機から送出される気流はロス（空気清浄機の背面側へ流れる気流）が多く、本発明の空気清浄機から送出される気流はロスが少ない。つまり、吹出口では同一風量でも、空気清浄機の前面側へ導かれる風量に差が生じる。また、本発明の空気清浄機から送出される気流はコアンダ効果を活用している。側壁面から天井面へと壁面に沿わせているため、気流が拡散しにくく、ポテンシャルコア領域が延長されるため、気流の到達距離が延長される。従来の空気清浄機から送出される気流は空気清浄機から遠く離れた位置に気流が到達しにくいため、気流が届かない離れた位置によどみが生じやすく、そのよどみ領域の空気の清浄化は濃度差に基づく拡散による。これに対して、本発明の空気清浄機から送出される気流はロスが少なく、かつ、コアンダ効果により気流の到達距離が延長されるため、空気清浄機から遠く離れた位置に気流が到達しやすい。従って、本発明の空気清浄機から送出される気流の方が空気清浄機の前面方向へ遠く離れた位置で効果を発揮し、より広い空間を効果的に清浄化することができる。
【０１１５】
なお、参考に、従来の空気清浄機から送出される気流の場合と本発明の空気清浄機から送出される気流の場合において、部屋の空間を循環する気流の経路、すなわち流線を、ＣＦＤ（Computational Fluid Dynamics）解析（コンピュータシミュレーション）を用いて可視化した結果を図１８に示す。
【０１１６】
解析の条件としては、８畳の部屋において、空気清浄機の吹出しの風速（４ｍ／ｓ）、風量とも同一に設定し、吹出しの角度のみ、従来の空気清浄機から送出される気流の場合は鉛直方向、本発明の空気清浄機から送出される気流の場合は鉛直方向に対してなす角度、または、部屋の側壁面に対してなす角度を２０°に設定する。また、時刻：Ｔ＝０から解析を開始し、新気流（本発明の空気清浄機から送出される気流）において吹出口から送出された流線が最初に吸込口に到達する時刻をＴ＝ｔ０、従来気流（従来の空気清浄機から送出される気流）において吹出口から送出された流線が最初に吸込口に到達する時刻をＴ＝ｔ１、として、時刻：Ｔ＝０の時に空気清浄機の吹出口にある流れが、時刻：Ｔ＝ｔ０、Ｔ＝ｔ１、のそれぞれにおいてどのような軌跡を辿ったか、流線の奇跡を表したものである。なお、図中の上段に記載の各図は、図１４、図１６に対応する。また、図中の中段に記載の各図は、図１５、図１７の天井面Ｓの部分を右方向に９０°回転したものに対応する。また、図中の下段に記載の各図は、図８に示す側壁面Ｗ２側から側壁面Ｗ１を見た図である。
【０１１７】
図１８から、時刻をＴ＝ｔ０においては、時刻：Ｔ＝０に吹出された気流は、本発明の空気清浄機から送出される気流においては部屋を大きく循環して再度空気清浄機に到達しているのに対し、従来の空気清浄機から送出される気流においては、部屋の空気清浄機から遠い位置にて大きな渦に巻き込まれて停滞している様子がわかる。また、参考として、時刻：Ｔ＝ｔ１と時刻：Ｔ＝ｔ０の関係は、
ｔ１＝１．７×ｔ０
となっている。つまり、解析上、従来の空気清浄機から送出される気流が部屋を大きく循環して再度空気清浄機に到達するのに要する時間は、本発明の空気清浄機から送出される気流に比べて、１．７倍の時間を要する。
【０１１８】
なお、実際の塵埃の挙動を考えた場合、塵埃の質量＞空気の質量のため、気流の流れに対して塵埃の動きは遅れる。つまり、図１８の気流の挙動が塵埃の挙動を表すわけではない。但し、気流の流れと塵埃の動きには強い相関があると考えられるため、これらのＣＦＤ解析結果からも、本発明の効果が十分に裏付けられる。
【０１１９】
また、既に図７を参照して説明したように、本発明の空気清浄機が、従来技術の空気清浄機に対して、気密性が低い部屋の空気をより効果的に清浄化することができるメカニズムについて説明する。
【０１２０】
図１９は、気密性の低い部屋（図５（Ｂ）に示すように室内の壁や窓に微細な隙間がある部屋）において、従来技術の空気清浄機を設置した場合の隙間近傍の様子を模式的に示した断面図である。また、図２０は、気密性の低い部屋（図５（Ｂ）に示すように室内の壁や窓に微細な隙間がある部屋）において、本発明の空気清浄機を設置した場合の隙間近傍の様子を模式的に示した断面図である。
【０１２１】
大気中に飛散する浮遊塵が非常に多い場合、例えば花粉の飛散が極めて多い日などに室内にて空気清浄機を運転すると、室外と室内に浮遊塵の濃度差が生ずる。例えば、気密性の低い部屋の場合、壁や窓の微細な隙間から、上記の濃度差に応じた量の浮遊塵が室外から室内に侵入する。
【０１２２】
今、浮遊塵の室外と室内の濃度差をｃ（ｇ・ｍ-3）、浮遊塵の移動距離をｘ（ｍ）、浮遊塵の拡散係数をＤ（ｍ2・ｓ-1）とすると、単位面積あたり、単位時間あたりの室外から室内への浮遊塵の侵入量（拡散束）Ｊ（ｇ・ｍ-2・ｓ-1）は、室内外に圧力差がない場合、
【０１２３】
【数１】
0004118316.tif 000002
【０１２４】
で表される。
【０１２５】
浮遊塵の室内外の濃度差による、室外から室内への浮遊塵の流入圧力をｐ1とすると、ｐ1は濃度差ｃの関数として
【０１２６】
【数２】
0004118316.tif 000003
【０１２７】
のように表される。
【０１２８】
次に、室内の壁や窓の微細な隙間近傍の圧力を考える。従来の空気清浄機から送出される気流の場合において隙間近傍の圧力をｐＡ、隙間近傍を流通する気流の流速をＶＡとすると、空気の密度をρ、大気圧をｐ0として、
【０１２９】
【数３】
0004118316.tif 000004
【０１３０】
と表される。
【０１３１】
また、本発明の空気清浄機から送出される気流の場合において隙間近傍の圧力をｐＢ、隙間近傍を流通する気流の流速をＶＢとすると、上記と同様に、
【０１３２】
【数４】
0004118316.tif 000005
【０１３３】
と表される。
【０１３４】
次に、室外の壁や窓の微細な隙間近傍の圧力を考える。
【０１３５】
隙間近傍の圧力をｐＣ、隙間近傍を流通する気流の流速をＶＣとすると、空気の密度をρ、大気圧をｐ0として、
【０１３６】
【数５】
0004118316.tif 000006
【０１３７】
と表される。
【０１３８】
さて、壁や窓の微細な隙間から室内に流入する浮遊塵の流入圧力は、上記の差圧で表される。すなわち、従来の空気清浄機から送出される気流の場合において浮遊塵の流入圧力をΔｐＡ、本発明の空気清浄機から送出される気流の場合において浮遊塵の流入圧力をΔｐＢとすると、それぞれ次のように表される。
【０１３９】
【数６】
0004118316.tif 000007
【０１４０】
【数７】
0004118316.tif 000008
【０１４１】
図９の結果から、ＶＡ＜ＶＢであり、ΔｐＡおよびΔｐＢはＶＡおよびＶＢのそれぞれの２乗の関数で表わされるので、ΔｐＡ≫ΔｐＢとなる。つまり、本発明の空気清浄機から送出される気流の場合においては、壁面近傍に比較的風速の大きい気流を沿わせているため、従来の空気清浄機から送出される気流の場合に比べて、壁や窓の微細な隙間に、風速が大きい分の動圧が加わり、その分、室内を陽圧することと同様の効果が得られる。このため、本発明の空気清浄機から送出される気流の場合においては、浮遊塵の室内への流入量が減少する。
【０１４２】
つまり、本発明の構成による上記の効果は、特に気密性の低い部屋で、より優位性を発揮する。なぜならば、空気清浄機で室内の空気を清浄化すると、室外に比べて室内の粉塵濃度が低くなる。そういう状態になると、濃度差による拡散（透過圧）が生じ、室外から室内へ粉塵が侵入しやすくなる。ここで、従来の空気清浄機から送出される気流の場合においては、壁面に沿った風速が小さいため、壁面近傍の全圧を陽圧する効果が小さく、本発明の空気清浄機から送出される気流の場合においては、壁面に沿った風速が大きいため、壁面近傍の全圧を陽圧する効果が大きい。つまり、本発明の空気清浄機から送出される気流の方が陽圧効果（シールド効果）の差によって、壁面の隙間から室内へ侵入しようとする粉塵を抑制することができるため、気密性の低い部屋で、より優位な効果を発揮する。
【０１４３】
これを明らかにするために、以下のような分析を行う。すなわち、従来の空気清浄機（図３４）と本発明の空気清浄機（図１）のそれぞれを、気密性の高い部屋（図５（Ａ））と気密性の低い部屋（図５（Ｂ））のそれぞれに設置して運転し、部屋の粉塵の減少の様子を比較する。
【０１４４】
図２１は、従来の空気清浄機を運転したときの粉塵濃度の時間的変化を示す図であり、従来の空気清浄機を気密性の高い部屋に置いた場合（図中■）と気密性の低い部屋に置いた場合（図中□）とを比較して示す図である。図２２は、本発明の空気清浄機を運転したときの粉塵濃度の時間的変化を示す図であり、本発明の空気清浄機を気密性の高い部屋に置いた場合（図中▲）と気密性の低い部屋に置いた場合（図中△）とを比較して示す図である。横軸、縦軸については、それぞれ図６と同様である。
【０１４５】
まず、図２１から、従来の空気清浄機から送出される気流では、部屋の気密性が低い場合は、気密性が高い場合に比べて著しく清浄化効果が損なわれることがわかる。これは、気密性が低いと室外から室内へ粉塵が侵入しやすいためである。図２１中の■と□の差が、部屋の気密性が低い場合に室外から室内に侵入した粉塵量であると見積もることができる。
【０１４６】
これに対して、本発明の空気清浄機から送出される気流では、図２２から、部屋の気密性の違いによる清浄化効果の差が小さいことがわかる。これは、上記のメカニズムで説明したように、本発明の空気清浄機から送出される気流では、壁面近傍の全圧を陽圧する効果が大きいため、室外から室内へ侵入しようとする粉塵を抑制することができるからである。図２２中の▲と△の差が、部屋の気密性が低い場合に室外から室内に侵入した粉塵量であると見積もることができる。
【０１４７】
図２２中の▲と△の差が図２１の■と□の差に対して大幅に減少しているので、部屋の気密性が低い場合に本発明の空気清浄機を運転したときに室外から室内に侵入する粉塵量は、部屋の気密性が低い場合に従来の空気清浄機を運転したときに室外から室内に侵入する粉塵量よりも大幅に減少することがわかる。
【０１４８】
ここで、部屋の気密性の違いによる粉塵濃度の差（上記の室外から室内に侵入する粉塵量）を時間的に平均した、単位時間あたりの室外から室内へ侵入する平均粉塵量を比較すると、本発明の空気清浄機は、従来技術の空気清浄機に対して、単位時間あたりの室外から室内へ侵入する平均粉塵量を約１/３０に抑制することができている。従って、図２１と図２２の結果に基づいて、図７に示すように、本発明の空気清浄機が、従来技術の空気清浄機に対して、気密性の低い部屋の空気をより早く効果的に清浄することができる。
【０１４９】
また、本発明の空気清浄機が、従来技術の空気清浄機に対して、室内の空気をより効果的に清浄化することができる部屋の大きさと風量の関係について説明する。
【０１５０】
本発明の空気清浄機は、従来技術の空気清浄機に対して、吹出口から送出される気流の到達距離が延長される。例えば、図９から、従来の空気清浄機の場合（図９中●：θ＝０°）と、本発明の空気清浄機の場合（図９中▲：θ＝２０°）における、天井面に沿った風速が０ｍ/ｓになるときの、側壁からの距離、すなわち気流の到達距離を、図９中の側壁からの距離と風速との関係を示すそれぞれの線と横軸との交点から予測すると、風量が４．３ｍ３/ｍｉｎの時、従来技術の空気清浄機では到達距離が約３．５ｍ、本発明の空気清浄機では到達距離が約４．８ｍとなる。従って、側壁からの距離が３．５ｍ以上の空間では、本発明の空気清浄機が、従来技術の空気清浄機に対して、室内の空気を、より効果的に清浄化することができると考えられる。
【０１５１】
ここで、床面積をＡ（ｍ２）、空気清浄機の後面側の側壁面に接する床面の一方の辺の長さをａ（ｍ）、床面の他方の辺の長さをｂ（ｍ）、空気清浄機の風量をＱ（ｍ３/ｍｉｎ）とし、風量Ｑを床面積Ａで除した値を考える。図９に示す風速の変化の測定がなされた部屋（図８）において、空気清浄機１０の後面側の側壁面Ｗ１に接する床面Ｆの辺の長さは３．５ｍであるので、従来技術の空気清浄機の場合、
【０１５２】
【数８】
0004118316.tif 000009
【０１５３】
となる。
【０１５４】
このことから、本発明の空気清浄機が、従来技術の空気清浄機に対して、室内の空気を、より効果的に清浄することができる範囲は次のように表される。
【０１５５】
【数９】
0004118316.tif 000010
【０１５６】
ここで、ａ≦ｂとなるように空気清浄機を配置することが望ましい。
【０１５７】
また、本発明の空気清浄機の場合も同様に考えると、
【０１５８】
【数１０】
0004118316.tif 000011
【０１５９】
となる。
【０１６０】
このことから、本発明の空気清浄機が、従来技術の空気清浄機に対して、室内の空気を、最も効果的に清浄することができる範囲は次のように表される。
【０１６１】
【数１１】
0004118316.tif 000012
【０１６２】
さらに、本発明の空気清浄機の構成によると、従来技術の空気清浄機に対して大幅に低騒音化することができる。本発明の構成によると、従来の空気清浄機に対し、約▲４ｄＢ、騒音エネルギーを約６０％削減することができる。この大幅な低騒音化を可能とするメカニズムについて説明する。
【０１６３】
従来の空気清浄機においては、吸込口と吹出口の２つが空気清浄機の大きな騒音発生源となっている。まず、吸込口について考えると、従来、吸込口は、空気を本体に取り込みやすくするために空気清浄機の前面側に配置されていた。しかし、音の問題や、フィルターに蓄積する塵埃を目立たなくするため、また、外観を良くするために、空気清浄機の前面側には、吸込口とフィルターを覆うようにパネルが設けられている場合が多い。この場合、吸込口を空気清浄機の前面側に配置し、空気を本体に取り込みやすくするという本来の目的が大きく損なわれ、パネルによる通風抵抗が大きいために音を低減する効果も大きく損なわれていた。
【０１６４】
本発明の空気清浄機においては、吸込口を後面側に配置することによって、吸込口からの音が直接前面側へ漏れることを防止している。前面側へ音が伝わるまでに、音の進行方向は１８０°向きを変えられることになり、その間に回折効果で音が減衰することによって、低騒音化することができる。また、吸込口を後面側に配置することによって、フィルターに蓄積する塵埃を目立たなくする等の外観上の課題が解消される。つまり、パネルでフィルター全体を覆う必要性も解消されるため、パネルの通風抵抗を大幅に低減することが可能となり、低騒音化が可能となる。
【０１６５】
次に吹出口について考えると、従来の空気清浄機においては、吹出口は人に風ストレスを与えないように、また、できるだけ障害物のない方向に気流を送出すること等を考慮して、空気清浄機の頂面側に配置されていた。また、送風機から吹出口に連通する吹出流通路は直線状に形成され、送風機で発生した音が吹出口から直接放出されていた。
【０１６６】
本発明の空気清浄機においては、上記の吹出流通路を傾斜させることによって、空気清浄機の吹出口の位置で気流を部屋の側壁面側に曲げる必要がないため、送風経路の圧力損失が低減し、消費電力が改善されるとともに騒音が低減される。
【０１６７】
図２３は、シロッコファンの高さと吹出流通路を形成する前壁の長さとの関係を示す概略的な断面図である。
【０１６８】
図１と図２３に示されるように、上記の吹出流通路１８０を形成する壁面のうち、部屋の側壁面Ｗ１から最も遠い位置に配置される壁面、すなわち前壁１８１の空気流に沿う方向の長さは、シロッコファンの高さをｔとすると、ｔ／sinθ以上に設定されるので、鉛直上方から見て吹出口１３１からシロッコファン１７１が見えない。従って、送風機１７０から発生する騒音が吹出口１３１から放出される前に、吹出流通路１８０において少なくとも１回は吹出流通路１８０を形成する壁面に衝突することになる。
【０１６９】
音が壁面に衝突すると反射されるが、その全てがそのまま反射されるわけではなく、一部は透過し、また、一部は壁面に衝突した際に熱エネルギーや、壁面の振動エネルギーとして失われ、減衰する。また、音が反射されると吹出流通路１８０内で音の干渉が生じやすくなり、さらに音が減衰することになる。さらに、吹出流通路１８０を人が存在する空間と反対方向に傾斜させることにより、吹出口１３１から放出された音は従来よりも回折して人が存在する空間へと伝播されることになるため、音の減衰効果が高まる。従って、傾斜した吹出流通路１８０内で反射、干渉を行いながら減衰した音が吹出口１３１から放出され、さらに回折により音の減衰効果が高められることにより低騒音化が可能となる。
【０１７０】
また、本発明によると、吹出流通路１８０は、一例として、断面積が約２０°の角度（奥行寸法一定の場合）で下流に行くほど拡大するので、吹出流通路１８０の壁面に沿う気流の剥離が抑制される。このため、流路抵抗が小さく、気流の運動エネルギーは効率良く静圧に変換される。すなわち、送風機（ファン）の受け持つ仕事である静圧上昇の一部が、上記の、運動エネルギーが変換されることにより生み出される静圧によってまかなわれるため、送風機（ファン）の仕事に必要となるエネルギーが少なくてすみ、少ない消費電力で所望の仕事をさせることができる。
【０１７１】
さらに、本発明によると、吹出流通路は、断面積が下流に行くほど一定の割合（奥行寸法一定の場合、約２０°の角度）で拡大し、かつ、奥行寸法は下流に行くほど縮小し、絞られた形状（アスペクト比の高い断面積）を有するので、吹出口の断面積のアスペクト比が高くなり、これに伴い、吹出口から送出される気流の断面のアスペクト比も高くなる。このとき、気流の流通する面積が同じでも壁面と接する割合が増大するため、周囲の気流の影響を受けにくくなる。このため、流れが収束するので、気流のポテンシャルコアが延長される。これにより、気流の到達距離が延長される。すなわち、上記の構成により運動エネルギーが静圧に変換されて流速の低下した気流の到達距離を延長することができる。
【０１７２】
本発明の空気清浄機によると、気流が効率良く送出され、到達距離が大幅に延長するので、部屋の空気清浄機から遠い空間の空気をより早く浄化することができるとともに、気流の動圧による陽圧効果により、室外の粉塵が室内に侵入するのを防ぐことができる。また、吸込口を空気清浄機の後面に配置し、吹出流通路を後方上方に傾斜させることによって音の反射、干渉、回折の効果が得られ、低騒音化が可能となる。すなわち、本発明の空気清浄機によると、低騒音で、かつ、使用者の居住領域を効果的に清浄化することが可能で快適な空間を得ることができる。
【０１７３】
（実施形態１−２）
以下に本発明の実施形態１−２について図面を参照して説明する。図２４は実施形態１−２の空気清浄機を模式的に示す側面断面図である。
【０１７４】
図２４に示すように、空気清浄機２は、床面Ｆの上または卓上に設置され、部屋の側壁面Ｗ１の近傍に配置されて用いられる空気清浄機である。空気清浄機２は、本体と、この本体に設けられ、室内の空気を取り入れるための吸込口２２２と、本体に設けられ、吸込口２２２から取り入れられた空気中に存在する塵埃、および／または、物質を除去する除去手段としてのエアフィルタ２５０と、本体に設けられ、エアフィルタ２５０で処理された空気を室内に送り出すための吹出口２３１と、本体に設けられ、吸込口２２２から吹出口２３１まで空気を移動させるための送風手段としての送風機２７０を備えている。
【０１７５】
空気清浄機２の本体は筐体２００によって保持されている。筐体２００は床面Ｆの上に設置され、前面（正面）２１０と後面（背面）２２０と頂面（天面）２３０と、床面Ｆに接触する底面２４０とを有する。筐体２００の後面２２０は多数の格子状の吸込口２２２が設けられた穴あきパネル２２１にて覆われている。ここで、鉛直上方から見て、清浄化された空気が矢印Ｖで示される方向に送り出される側の空気清浄機２の側面を後面２２０側、その反対側を前面２１０側とする。
【０１７６】
筐体２００は、後面２２０側を部屋の側壁面Ｗ１に対向させて側壁面Ｗ１から、たとえば、３００ｍｍの間隔を設けて床面Ｆの上に設置される。筐体２００の頂面２３０には、吹出口２３１が設けられている。吹出口２３１は筐体２００の幅方向に延びる略矩形状に形成され、後方上方に臨んで設けられている。
【０１７７】
筐体２００の内部には、吸込口２２２から吹出口２３１に連通する吸込流通路２６０および吹出流通路２８０とかなる送風経路が形成されている。送風経路内には空気を送出する送風機２７０が配置されている。送風機２７０に用いられるファンとしては、シロッコファン２７１が用いられる。送風経路のうち、シロッコファン２７１の下流側には、シロッコファン２７１から吹出口２３１に至るまで空気が流れる吹出流通路２８０が形成されている。吹出流通路２８０によって、シロッコファン２７１により送出される空気を後方上方に案内する。吹出流通路２８０の断面積は、吹出口２３１に近づくほど、下流に行くほど拡大する。吹出流通路２８０は、図２と図３に示されるものと同様の構成を有する。
【０１７８】
実施形態１−１では、送風機１７０とシロッコファン１７１の部分が直立するように設けられているが、本実施形態では、送風機２７０とシロッコファン２７１の部分が傾斜して設けられ、送風機２７０とシロッコファン２７１を通過する送風経路も吹出流通路２８０と同様に傾斜している。また、送風経路中のシロッコファン２７１とエアフィルタ２５０との間の吸込流通路２６０には、加湿装置２９１が設けられている。さらに、空気清浄機２の上部前面側に加湿装置２９１用の水タンク２９２が設けられている。
【０１７９】
本実施形態の空気清浄機２によると、送風機２７０とシロッコファン２７１の部分の送風経路が吹出流通路２８０と同様に傾斜しているので、送風機２７０とエアフィルタ２５０の間の距離が大きくなる。このため、エアフィルタ２５０全体から均一に空気を取り入れやすくなるため、圧力損失を低減することができる。また、その空間に加湿装置２９１を設けることもできる。さらに、空気清浄機２の上部前面側の空間に加湿装置２９１用の水タンク２９２を設けることができる。水タンク２９２は、送風経路で発生する音の一部を遮音する効果を有するため、低騒音化することができる。
【０１８０】
従って、送風機２７０とシロッコファン２７１の部分の送風経路が吹出流通路２８０と同様に傾斜しているため、空気清浄機２の設置面積はやや大きくなるが、実施形態１−１の空気清浄機１とほぼ同等の効果が得られる。
【０１８１】
（第２の実施形態）
（実施形態２−１）
以下に本発明の実施形態２−１について図面を参照して説明する。図２５は実施形態２−１の空気清浄機を模式的に示す側面断面図である。前述の図１〜図３に示す実施形態１−１と同様の部分には同一の符号が付されている。
【０１８２】
図２５に示すように、本実施形態の空気清浄機３では、筐体１００の頂面１３０は、操作部１９０が設けられる前面１１０側の第１頂面と、吹出口１３１が設けられる後面１２０側の第２頂面とから形成される。操作部１９０は、空気清浄機３の前面１１０側に配置されて空気清浄機３の運転モードを切り替えるために用いられる。吹出口１３１は、空気清浄機３の後面１２０側に配置されて清浄化空気を送出するためのものである。その他の部分は実施形態１−１の空気清浄機１と同様である。ここで、鉛直上方から見て、清浄化された空気が矢印Ｖで示される方向に送り出される側の空気清浄機３の側面を後面１２０側、その反対側を前面１１０側とする。
【０１８３】
本実施形態の空気清浄機３によると、実施形態１−１の空気清浄機１と同等の効果を得ることができるとともに、操作部１９０が設置される第１頂面が使用者の存在する部屋の中央側に設置され、吹出口１３１が設置される第２頂面が部屋の側壁面Ｗ１側に設けられるということが、空気清浄機３の外観により表現される。いいかえれば、使用者が無意識のうちに空気清浄機３の吹出口１３１を部屋の側壁面Ｗ１側に向けて配置するように、使用者に空気清浄機３を設置させることができる。
【０１８４】
なお、吹出口１３１から送出される清浄化空気を部屋の側壁面Ｗ１に到達させない場合には、本発明の空気清浄機の本来の効果は損なわれる場合があるが、空気清浄機３の操作部１９０が上記のように配置されているので、使用者に無意識のうちに、空気清浄機３を操作部１９０が設置される第１頂面を使用者に向けて設置させることができるので、上記の効果を確実に得ることができる。
【０１８５】
さらに、操作部１９０が空気清浄機３の頂面１３０の前面１１０側に配置されているので、操作部の操作性が向上し、空気清浄機３の運転状態を容易に操作することができる。
【０１８６】
（実施形態２−２）
以下に本発明の実施形態２−２について図面を参照して説明する。図２６は実施形態２−２の空気清浄機を模式的に示す側面断面図である。前述の図１〜図３に示す実施形態１−１と同様の部分には同一の符号が付されている。
【０１８７】
図２６に示すように、本実施形態の空気清浄機４では、操作部１９０が空気清浄機４の前面１１０側の上部に設けられている。その他の部分は実施形態１−１の空気清浄機１と同様である。ここで、鉛直上方から見て、清浄化された空気が矢印Ｖで示される方向に送り出される側の空気清浄機４の側面を後面１２０側、その反対側を前面１１０側とする。
【０１８８】
本実施形態の空気清浄機４によると、実施形態１−１の空気清浄機１と同等の効果を得ることができるとともに、操作部１９０が空気清浄機４の前面１１０側の上部に設けられているので、操作部１９０の視認性が向上し、空気清浄機４の運転状態を容易に確認することができる。
【０１８９】
従って、実施形態２−１に比べて操作性はやや劣るが、実施形態２−１の空気清浄機とほぼ同等の効果が得られる。
【０１９０】
（実施形態２−３）
以下に本発明の実施形態２−３について図面を参照して説明する。図２７は実施形態２−３の空気清浄機を模式的に示す側面断面図である。前述の図１〜図３に示す実施形態１−１と同様の部分には同一の符号が付されている。
【０１９１】
図２７に示すように、本実施形態の空気清浄機５では、表示部１９１が空気清浄機５の前面１１０側の上部に設けられるとともに、筐体１００の頂面１３０と、筐体１００の前面１１０と、吹出流通路１８０の後方上方傾斜部１８１ｄ（図２）との３面によって囲まれる空間に、操作部１９０および表示部１９１の制御基板１９２と電源基板１９３が配置されている。その他の部分は実施形態１−１の空気清浄機１と同様である。ここで、鉛直上方から見て、清浄化された空気が矢印Ｖで示される方向に送り出される側の空気清浄機５の側面を後面１２０側、その反対側を前面１１０側とする。
【０１９２】
本実施形態の空気清浄機５によると、実施形態１−１の空気清浄機１と同等の効果を得ることができるとともに、操作部１９０が空気清浄機５の頂面１３０の前面１１０側に設けられているので、操作部の操作性が向上し、空気清浄機の運転状態を容易に操作することができ、さらに、表示部１９１が空気清浄機５の前面１１０側の上部に設けられているので、表示部の視認性が向上し、空気清浄機の運転状態を容易に確認することができる。また、上記の空間に制御基板１９２と電源基板１９３を収納できるとともに、制御基板１９２に近接した位置に電源基板１９３を設置できるので、制御基板１９２と電源基板１９３を電気的に結合するためのコードの長さ（図示せず）を短縮することができる。
【０１９３】
なお、図３５に示すように、従来の空気清浄機２０においては、制御基板１９２０を置くスペースが狭いので、例えば、制御基板１９２０を送風経路の前方であってエアフィルタ１５００の上方の空間に配置し、電源基板１９３０を筐体１０００の底部であって送風機１７００の下方に配置して、二つの基板を２箇所に分断して配置する場合がある。このような場合においては、制御基板１９２０と電源基板１９３０を電気的に結合するために、長いコード（図示せず）が必要となる。この場合、比較的長いコードの引き回し方法や固定方法に留意しておかないと、例えば、生産組立時や修理時にコードが他の部材にはさみ込まれて損傷を受けるという不具合や、また、送風機の回転に伴って筐体が振動する場合などにコードが筐体に接触して、カタカタ音といった極めて耳障りな騒音を生ずる場合があるので、コードを防振材で包んだり、束ねて固定したりする必要があり、さらに部品点数や工程が増加するといった不都合があった。
【０１９４】
本発明の空気清浄機５においては、上述したようにコード（図示せず）の長さを短縮することができるので、従来の場合に生じていた、生産組立時にコードをはさみ込む不具合や、騒音の問題を未然に防ぐとともに、部品点数や工程を削減でき、低コストの空気清浄機を得ることができる。
【０１９５】
なお、第２の実施形態を要約すると、以下のとおりである。
【０１９６】
（１）空気清浄機は、床上または卓上に設置され、部屋の側壁面の近傍に配置されて用いられる空気清浄機であって、本体と、この本体に設けられ、室内の空気を取り入れるための吸込口と、本体に設けられ、吸込口から取り入れられた空気中に存在する塵埃、および／または、物質を除去する除去手段と、本体に設けられ、除去手段で処理された空気を室内に送り出すための吹出口と、本体に設けられ、吸込口から吹出口まで空気を移動させるための送風手段とを備える。吹出口の中央位置から部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該空気清浄機が配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【０１９７】
上記のように構成される空気清浄機において、空気清浄機の筐体の頂面は、一方に配置されて空気清浄機の運転モードを切り替える操作部が設けられる第１頂面と、他方に配置されて清浄化空気を送出する吹出口が設けられる第２頂面との２つの異なるほぼ平面に分割されて配置され、鉛直上方から見て、第２頂面に対して、清浄化空気が送出される側と異なる側に第１頂面が配置されることを特徴とする。
【０１９８】
この構成によると、操作部が設置される第１頂面が使用者の存在する部屋の中央側に設置され、吹出口が設置される第２頂面が部屋の側壁面側に設けられるということが、空気清浄機の外観により表現される。本空気清浄機の操作部が上記のように配置されているので、使用者が無意識のうちに、吹出口を部屋の側壁面側に向けるように、使用者に本空気清浄機を設置させることができる。
【０１９９】
これにより、吹出口が設置される第２頂面が部屋の側壁面側に配置されるので、吹出口から送出される気流が直ちに空気清浄機に吸引される気流が少なくなるとともに、吹出口から送出される気流の横方向への広がりが抑制されるため、気流の到達距離が大幅に延長され、部屋の空気清浄機から遠い位置における風速が大幅に増加する。その結果、部屋の空気清浄機から遠い位置における空気環境の改善効果を高めることができ、広範囲の室内空気を効果的に清浄化することができる。また、無駄に送出されていた気流が少なくてすむため、少ない風量でも所望の空気環境の改善効果を得ることができる。少ない風量で同一の空気環境の改善効果が実現可能なため、騒音が低減される。また、壁面に設けられた窓その他の隙間が存在し、部屋の気密性が低い場合、部屋の壁面近傍の風速を増加することができるため、陽圧効果が得られ、室外から室内へ侵入する粉塵の量を低減することができる。
【０２００】
なお、吹出口から送出される清浄化空気を部屋の側壁面に到達させない場合には、上記の効果は損なわれる場合があるが、本空気清浄機の操作部が上記のように配置されているので、使用者に無意識のうちに、操作部が設置される第１頂面を使用者に向けて本空気清浄機を設置させることができるので、上記の効果を確実に得ることができる。
【０２０１】
さらに、操作部をこのように配置することにより、操作しやすい空気清浄機を得ることができる。
【０２０２】
（２）上記の構成の空気清浄機において、第２頂面は、第１頂面から離れるに従い、下方になるように傾斜する傾斜面にて構成されることを特徴とする。
【０２０３】
この構成によると、吹出口は側壁面に面するように配置される。
【０２０４】
このような吹出口から放出される騒音が使用者の存在する部屋の中央側に伝播する経路としては、側壁面に衝突反射して伝播する経路と、吹出口から直接伝播する経路とがある。前者の経路を伝播する騒音は側壁面に反射吸収されて減衰されて伝播するため、低騒音化することができる。また、後者の経路を伝播する騒音は、回折により伝播されるが、吹出口が側壁面に面するように傾斜しているため、回折の効果が高まり、減衰されて伝播するため、低騒音化することができる。
【０２０５】
（３）上記の構成の空気清浄機において、第１頂面は、第２頂面から離れるに従い、下方になるように傾斜する傾斜面にて構成されることを特徴とする。
【０２０６】
この構成によると、操作部が設置される第１頂面が使用者の存在する部屋の中央側に面するように設置される。これにより、操作部の視認性が向上し、空気清浄機の運転状態を容易に確認することができる。
【０２０７】
（４）空気清浄機は、床上または卓上に設置され、部屋の側壁面の近傍に配置されて用いられる空気清浄機であって、本体と、この本体に設けられ、室内の空気を取り入れるための吸込口と、本体に設けられ、吸込口から取り入れられた空気中に存在する塵埃、および／または、物質を除去する除去手段と、本体に設けられ、除去手段で処理された空気を室内に送り出すための吹出口と、本体に設けられ、吸込口から吹出口まで空気を移動させるための送風手段とを備える。吹出口の中央位置から部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該空気清浄機が配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【０２０８】
上記の構成の空気清浄機において、清浄化空気を送出する吹出口は空気清浄機の筐体の頂面に設けられ、空気清浄機の運転モードを切り替える操作部は空気清浄機の筐体側部の上部に設けられ、鉛直上方から見て、吹出口が設けられる頂面に対して、清浄化空気が送出される側と異なる側の筐体側部の上部に操作部が設けられることを特徴とする。
【０２０９】
この構成によると、操作部が配置される空気清浄機の筐体側部が使用者の存在する部屋の中央側に設置されるということが、空気清浄機の外観により表現される。このように本空気清浄機の操作部が配置されているので、使用者が無意識のうちに、吹出し気流が部屋の側壁面側に送出されるように、使用者に空気清浄機を配置させることができる。
【０２１０】
このため、吹出口から送出される気流が直ちに空気清浄機に吸引される気流が少なくなるとともに、吹出口から送出される気流の横方向への広がりが抑制されるため、気流の到達距離が大幅に延長され、部屋の空気清浄機から遠い位置における風速が大幅に増加する。その結果、部屋の空気清浄機から遠い位置における空気環境の改善効果を高めることができ、広範囲の室内空気を効果的に浄化することができる。また、無駄に送出されていた気流が少なくてすむため、少ない風量でも所望の空気環境の改善効果を得ることができる。少ない風量で同一の空気環境の改善効果が実現可能なため、騒音が低減される。また、壁面に設けられた窓その他の隙間が存在し、部屋の気密性が低い場合、部屋の壁面近傍の風速を増加することができるため、陽圧効果が得られ、室外から室内へ侵入する粉塵の量を低減することができる。
【０２１１】
なお、吹出口から送出される清浄化空気を部屋の側壁面に到達させない場合には、上記の効果は損なわれる場合があるが、本空気清浄機の操作部は、使用者が無意識のうちに、操作部が配置される筐体側部の上部を使用者に向けるように、使用者に本空気清浄機を設置させることができるので、上記の効果を確実に得ることができる。
【０２１２】
さらに、操作部をこのように配置することにより、離れた位置から操作部を見やすい空気清浄機を得ることができる。
【０２１３】
（５）上記の構成の空気清浄機において、頂面は、操作部が設けられた筐体側部の上部から離れるに従い、下方になるように傾斜する傾斜面にて構成されることを特徴とする。
【０２１４】
この構成によると、吹出口は部屋の側壁面に面するように配置される。
【０２１５】
このような吹出口から放出される騒音が使用者の存在する部屋の中央側に伝播する経路としては、側壁面に衝突反射して伝播する経路と、吹出口から直接伝播する経路とがある。前者の経路を伝播する騒音は側壁面に反射吸収されて減衰されて伝播するため、低騒音化することができる。また、後者の経路を伝播する騒音は、回折により伝播されるが、吹出口が側壁面に面するように傾斜しているため、回折の効果が高まり、減衰されて伝播するため、低騒音化することができる。
【０２１６】
（６）上記の構成の空気清浄機は、表示部をさらに備え、鉛直上方から見て、吹出口が設けられる頂面に対して、清浄化空気が送出される側と異なる側の筐体側部の上部に表示部が設けられることを特徴とする。
【０２１７】
この構成によると、表示部が設置される空気清浄機の筐体側部が使用者の存在する部屋の中央側に配置されるということが、空気清浄機の外観により表現される。
【０２１８】
このように本空気清浄機の操作部が配置されているので、使用者が無意識のうちに、吹出口を部屋の側壁面側に向けるように、使用者に本空気清浄機を設置させることができる。これにより、上記の効果をさらに確実に得ることができる。
【０２１９】
さらに、このように表示部を配置することにより、離れた位置から表示部を見やすい空気清浄機を得ることができる。
【０２２０】
（７）上記の構成の空気清浄機において、吹出口は筐体の頂面かつ部屋の側壁面に近接する位置に設けられ、送風機は、筐体内の下部であって部屋の側壁面から離れた位置に送風機の出口を上方に向けて設けられ、送風機の出口と吹出口を連通する吹出流通路は、筐体内の上部であって部屋の側壁面から離れた位置に設けられた送風機の出口と、筐体の頂面かつ部屋の側壁面に近接する位置に設けられた吹出口とを連通するとともに送風機の出口から吹出口に向けて傾斜して構成され、頂面と、鉛直上方から見て吹出口から清浄化空気が送出される側と異なる側の筐体側部と、吹出流通路の側壁であって鉛直上方から見て吹出口から清浄化空気が送出される側と異なる側の吹出流通路の側壁との３面によって囲まれる空間に、操作部および／または表示部の制御基板、ならびに、電源基板が設置されることを特徴とする。
【０２２１】
この構成によると、上記の３面によって囲まれる部分に空間が生まれ、この部分に操作部および／または表示部の制御基板、ならびに、電源基板が設置される。
【０２２２】
これにより、制御基板に近接した位置に電源基板を設置できるので、制御基板と電源基板を電気的に結合するコードの長さを短縮することができる。
【０２２３】
（第３の実施形態）
（実施形態３−１）
以下に本発明の実施形態３−１について図面を参照して説明する。図２８は実施形態３−１の空気清浄機を模式的に示す側面断面図である。前述の図１〜図３に示す実施形態１−１と同様の部分には同一の符号が付されている。
【０２２４】
図２８に示すように、本実施形態の空気清浄機６では、筐体１００の頂面が段差部を介して二つの上方頂面部１３０ａと下方頂面部１３０ｂから構成され、吹出口１３１ａが上記の段差部に配置され、部屋の側壁面Ｗ１に対向するように設けられている。吹出口１３１ａと送風機１７０の出口とを連通するように吹出流通路１８０ａが形成されている。その他の部分は実施形態１−１の空気清浄機１と同様である。
【０２２５】
本実施形態の空気清浄機６によると、吹出口１３１ａから放出される音は、直接使用者のいる居住領域へ伝播せず、回折により伝播する。吹出口１３１ａから回折により伝播する音のエネルギーは、直接使用者の居住領域へ伝播された場合に比べてはるかに音のエネルギーが減衰されるため、吹出口１３１ａから使用者のいる居住領域へ伝播される音が大幅に減少する。この作用により、吹出口１３１ａから放出された音は回折効果により大幅に減衰されて居住領域に伝播するため、空気清浄機６の吹出口１３１ａから放出される騒音を大幅に低騒音化することができる。
【０２２６】
従って、吹出口１３１ａが側壁面Ｗ１に対向して設けられるため、空気清浄機６の高さ方向の寸法はやや大きくなるが、第１の実施形態の空気清浄機よりもさらに低騒音化の効果が得られる。
【０２２７】
（実施形態３−２）
以下に本発明の実施形態３−２について図面を参照して説明する。図２９は実施形態３−２の空気清浄機を模式的に示す側面断面図である。前述の図１〜図３に示す実施形態１−１と同様の部分には同一の符号が付されている。
【０２２８】
図２９に示すように、本実施形態の空気清浄機７では、筐体１００の頂面が段差部を介して二つの上方頂面部１３０ａと下方頂面部１３０ｂから構成され、吹出口１３１ｂが上記の段差部に配置され、部屋の側壁面Ｗ１に対向するように設けられている。吹出口１３１ｂと送風機１７０の出口とを連通するように吹出流通路１８０ｂが形成されている。特に、本実施形態の空気清浄機７では、吹出流通路１８０ｂを部屋の側壁面Ｗ１側に屈曲させ、吹出口１３１ｂが部屋の側壁面Ｗ１に対向するように設けられている。その他の部分は実施形態１−１の空気清浄機１と同様である。
【０２２９】
本実施形態の空気清浄機７によると、吹出流通路１８０ｂを送風機１７０の出口から吹出口１３１ｂまで滑らかに屈曲させて接続しているため、流路抵抗の増加を抑制できる。
【０２３０】
さらに、吹出口１３１ｂから放出される音は、直接使用者のいる居住領域へ伝播せず、回折により伝播する。吹出口１３１ｂから回折により伝播する音のエネルギーは、直接使用者の居住領域へ伝播された場合に比べてはるかに音のエネルギーが減衰されるため、吹出口１３１ｂから使用者のいる居住領域へ伝播される音が大幅に減少する。この作用により、吹出口１３１ｂから放出された音は回折効果により大幅に減衰されて居住領域に伝播するため、空気清浄機７の吹出口１３１ｂから放出される騒音を大幅に低騒音化することができる。
【０２３１】
従って、吹出口１３１ｂが部屋の側壁面Ｗ１に対向して設けられるため、空気清浄機７の高さ方向の寸法はやや大きくなるが、第１の実施形態の空気清浄機よりも、流路抵抗の増加を抑制しつつ、さらに低騒音化の効果が得られる。
【０２３２】
なお、第３の実施形態を要約すると、以下のとおりである。
【０２３３】
（１）空気清浄機は、床上または卓上に設置され、部屋の側壁面の近傍に配置されて用いられる空気清浄機であって、本体と、この本体に設けられ、室内の空気を取り入れるための吸込口と、本体に設けられ、吸込口から取り入れられた空気中に存在する塵埃、および／または、物質を除去する除去手段と、本体に設けられ、除去手段で処理された空気を室内に送り出すための吹出口と、本体に設けられ、吸込口から吹出口まで空気を移動させるための送風手段と、この送風手段から吹出口に至るまで空気が流れる吹出流通路とを備える。
【０２３４】
上記のように構成される空気清浄機において、吹出流通路は、部屋の側壁面側に屈曲および／または傾斜することを特徴とする。
【０２３５】
この構成によると、吹出口から放出される音は、部屋の側壁面側に放出される。音波は直進性がよいので、放出された音が居住領域へ伝播するためには、部屋の側壁面に反射して伝播する、または、吹出口から回折により伝播する、ことになるので、吹出口から直接使用者の居住領域へ伝播される音が大幅に減少する。さらに、吹出流通路内においても音が壁面で反射する。
【０２３６】
これにより、部屋の側壁面に反射した音は、一部が部屋の側壁面により音のエネルギーを吸収されて減衰し、他の一部が反射の際の干渉により減衰する。また、吹出口から回折により伝播する音のエネルギーは、直接使用者の居住領域へ伝播された場合に比べてはるかに減衰される。さらに、吹出流通路内においても音が壁面で反射するので、一部は壁面により音のエネルギーを吸収されて減衰し、他の一部は反射の際の干渉により、音のエネルギーが減衰する。すなわち、吹出口から放出された音は反射による干渉効果と回折効果により大幅に減衰されて居住領域に伝播するため、空気清浄機の吹出口から放出される騒音を大幅に低騒音化することができる。
【０２３７】
（２）上記の構成の空気清浄機において、吹出流通路は、１０°〜３５°の範囲内で屈曲および／または傾斜することを特徴とする。
【０２３８】
この構成によると、吹出流通路の屈曲部および／または傾斜部における流路抵抗の増加が抑制される。
【０２３９】
これにより、吹出流通路を屈曲および／または傾斜させるほど、反射、干渉の効果は高まるが、流路抵抗は大きく増加し、低騒音化の効果が損なわれてしまう。そこで、屈曲および／または傾斜させる角度を１０°〜３５°の範囲内とすることにより、流路抵抗の増加を抑制しつつ、音の反射、干渉の効果も得られるため、低騒音化の効果が高まる。
【０２４０】
（３）上記の構成の空気清浄機において、吹出口は、部屋の側壁面に対向して設けられることを特徴とする。
【０２４１】
この構成によると、吹出口から放出される音は、部屋の側壁面側に放出される。音波は直進性がよいので、放出された音が居住領域へ伝播するには、部屋の側壁面に反射して伝播する、または吹出口から回折により伝播する、ことになるので、吹出口から直接使用者の居住領域へ伝播される音が大幅に減少する。
【０２４２】
これにより、吹出口から放出される音は、直接使用者のいる居住領域へ伝播せず、回折により伝播する。吹出口から回折により伝播する音のエネルギーは、直接使用者の居住領域へ伝播された場合に比べてはるかに音のエネルギーが減衰されるため、吹出口から使用者のいる居住領域へ伝播される音が大幅に減少する。この作用により、吹出口から放出された音は回折効果により大幅に減衰されて居住領域に伝播するため、空気清浄機の吹出口から放出される騒音を大幅に低騒音化することができる。
【０２４３】
（第４の実施形態）
（実施形態４−１）
以下に本発明の実施形態４−１について図面を参照して説明する。図３０は実施形態４−１の空気清浄機を模式的に示す側面断面図である。
【０２４４】
図３０に示すように、空気清浄機８は、本体と、この本体に設けられ、室内の空気を取り入れるための吸込口８２２と、本体に設けられ、吸込口８２２から取り入れられた空気中に存在する塵埃、および／または、物質を除去する除去手段としてのエアフィルタ８５０と、本体に設けられ、エアフィルタ８５０で処理された空気を室内に送り出すための吹出口８３１と、本体に設けられ、吸込口８２２から吹出口８３１まで空気を移動させるための送風手段としての送風機８７０を備えている。
【０２４５】
空気清浄機８の本体は筐体８００によって保持されている。筐体８００は床面Ｆの上に支持部８９０によって保持されて設置され、前面（正面）８１０と後面（背面）８２０と頂面（天面）８３０と、底面８４０とを有する。筐体８００の後面８２０は多数の格子状の吸込口８２２が設けられた穴あきパネル８２１にて覆われている。ここで、鉛直上方から見て、清浄化された空気が矢印Ｖで示される方向に送り出される側の空気清浄機８の側面を後面８２０側、その反対側を前面８１０側とする。
【０２４６】
筐体８００の頂面８３０には、吹出口８３１が設けられている。吹出口８３１は、筐体８００の幅方向に延びる略矩形状に形成され、筐体８００を傾斜させることにより、後方上方に臨むことができるように設けられている。
【０２４７】
筐体８００の内部には、吸込口８２２から吹出口８３１に連通する吸込流通路８６０および吹出流通路８８０とかなる送風経路が形成されている。送風経路内には空気を送出する送風機８７０が配置されている。送風機８７０に用いられるファンとしては、シロッコファン８７１が用いられる。送風経路のうち、シロッコファン８７１の下流側には、シロッコファン８７１から吹出口８３１に至るまで空気が流れる吹出流通路８８０が形成されている。吹出流通路８８０は、傾斜しておらず、直線状の流路である。筐体８００を部屋の側壁面Ｗ１に向かって傾斜させることにより、吹出流通路８８０によって、シロッコファン８７１により送出される空気を後方上方に案内する。本実施形態では、送風機８７０とシロッコファン８７１と吹出流通路８８０の部分が直線状に整列するように設けられ、筐体８００を傾斜させることにより、送風機２７０とシロッコファン２７１を通過する送風経路も吹出流通路８８０と同様に傾斜するようになっている。その他の構成は、実施形態１−１の空気清浄機１と同様である。
【０２４８】
本実施形態の空気清浄機８によると、空気清浄機８の駆動時には、筐体８００を部屋の側壁面Ｗ１に向かって傾斜させるため、空気清浄機８の吹出口８３１の位置で気流を側壁面Ｗ１に向かう方向に曲げる必要がないので、送風経路の圧力損失が低減し、消費電力が改善される。
【０２４９】
従って、吹出流通路８８０が傾斜していないため、低騒音化の効果はやや劣るが、第１の実施形態の空気清浄機よりもさらに省エネルギーの効果が得られる。
【０２５０】
また、支持部８９０の傾斜角θの設定を変更することにより、筐体８００を使用者の要望に応じた角度に設定変更可能な構成となるので、部屋の高さや、設置する位置に応じて傾斜角θを変更することができ、空気清浄機の最適な設置場所の範囲を拡げることができる。
【０２５１】
さらに、傾斜角度θを０°に設定して筐体８００を保持する時には、空気清浄機８の奥行き寸法が最小となり、傾斜角度θを９０°に設定して筐体８００を保持する時には、空気清浄機８の高さ寸法が最小となるため、収納時などにコンパクトとなり、使用者の利便性を大幅に向上させることができる。
【０２５２】
（実施形態４−２）
以下に本発明の実施形態４−２について図面を参照して説明する。図３１は実施形態４−２の空気清浄機を模式的に示す側面断面図である。前述の図３０に示す実施形態４−１と同様の部分には同一の符号が付されている。
【０２５３】
図３１に示すように、本実施形態の空気清浄機９では、支持部９９０の構造が実施形態４−１と異なる。その他の部分は実施形態４−１と同様である。
【０２５４】
本実施形態の空気清浄機９によると、支持部９９０は筐体８００の側面に設けられ、その支持部９９０を回転させることにより筐体８００を傾斜させて保持するように設定される。
【０２５５】
従って、実施形態４−１に比べて、筐体８００の底面８４０の一部が床面Ｆに接するため、空気清浄機９の前面８１０側の空気をやや吸い込みにくくなるが、実施形態４−１の空気清浄機とほぼ同等の効果が得られる。
【０２５６】
なお、第４の実施形態を要約すると、以下のとおりである。
【０２５７】
（１）空気清浄機は、床上または卓上に設置され、部屋の側壁面の近傍に配置されて用いられる空気清浄機であって、本体と、この本体に設けられ、室内の空気を取り入れるための吸込口と、本体に設けられ、吸込口から取り入れられた空気中に存在する塵埃、および／または、物質を除去する除去手段と、本体に設けられ、除去手段で処理された空気を室内に送り出すための吹出口と、本体に設けられ、吸込口から吹出口まで空気を移動させるための送風手段と、筐体を保持して筐体の姿勢を保つ支持部とを備える。吹出口の中央位置から部屋の側壁面までの距離をＬ［ｍｍ］、吹出口の中央位置から部屋の天井面までの距離をＨ［ｍｍ］とし、距離Ｌが１００＜Ｌ＜６００の範囲で選ばれた位置に当該空気清浄機が配置されて用いられるときに、吹出口から送り出される空気を最初に室内の側壁面に到達させるために、吹出口から送り出される空気の流れる方向が鉛直上方向に対してなす角度θ［°］をｔａｎ−１（Ｌ／Ｈ）＜θ≦３５の範囲に設定する。
【０２５８】
上記のように構成される空気清浄機において、支持部は、空気清浄機の駆動時に、筐体を鉛直上方に対してｔａｎ−１（Ｌ／Ｈ）＜θ≦３５の範囲内に設定される角度θをもって後方に傾斜させて保持することを特徴とする。
【０２５９】
この構成によると、空気清浄機の駆動により吹出口から送出された清浄化空気は、鉛直上方に対して上記の角度θをなして後方上方に送出される。本空気清浄機を部屋の側壁面近傍に設置し、本空気清浄機の前面を部屋の中央側に向けて配置した場合には、吹出口から送出された清浄化空気は、最初に部屋の側壁面に到達し、この側壁面に沿って上方へ流通し、天井、他の側壁面に沿って部屋内に清浄化空気が循環し、そして吸込口から吸引されるといった挙動を示す。このような気流が生ずると、吹出口から送出される気流が直ちに空気清浄機に吸引される気流が少なくなるとともに、吹出口から送出される気流の横方向への広がりが抑制されるため、気流の到達距離が大幅に延長され、部屋の空気清浄機から遠い位置における風速が大幅に増加する。また、部屋の壁面近傍の風速も大幅に増加する。
【０２６０】
その結果、部屋の空気清浄機から遠い位置における空気環境の改善効果を高めることができ、広範囲の室内空気を効果的に清浄化することができる。また、無駄に送出されていた気流が少なくてすむため、少ない風量でも所望の空気環境の改善効果を得ることができる。少ない風量で同一の空気環境の改善効果が実現可能なため、騒音が低減される。また、壁面に設けられた窓その他の隙間が存在し、部屋の気密性が低い場合、部屋の壁面近傍の風速を増加することができるため、陽圧効果が得られ、室外から室内へ侵入する粉塵の量を低減することができる。
【０２６１】
なお、空気清浄機の駆動時には、筐体を部屋の側壁面に向かって傾斜させるため、空気清浄機の吹出口の位置で気流を側壁面に向かう方向に曲げる必要がないので、送風経路の圧力損失が低減し、消費電力が改善される。また、吹出口から発生する音が直接使用者の居住領域へ伝播されないので騒音が低減される。さらに、空気清浄機が駆動していない時には、筐体を傾斜させる必要がないので、空気清浄機の設置面積を小さくすることができる。
【０２６２】
（２）上記の構成の空気清浄機において、支持部は、傾斜角θを上記の範囲内の任意の値に設定して筐体を保持することを特徴とする。
【０２６３】
この構成によると、支持部の傾斜角θの設定を変更することにより、筐体を使用者の要望に応じた角度に設定変更可能な構成となる。これにより、部屋の高さや、設置する位置に応じて傾斜角θを変更することができ、空気清浄機の最適な設置場所の範囲を拡げることができる。
【０２６４】
（３）上記の構成の空気清浄機において、支持部は、空気清浄機が駆動しない時に、傾斜角θを０°、および／または、９０°に設定して、筐体を保持することを特徴とする。
【０２６５】
この構成によると、傾斜角度θを０°に設定して筐体を保持する時には、空気清浄機の奥行き寸法が最小となり、傾斜角度θを９０°に設定して筐体を保持する時には、空気清浄機の高さ寸法が最小となる。これにより、収納時などにコンパクトとなり、使用者の利便性を大幅に向上させることができる。
【０２６６】
（第５の実施形態）
以下に本発明の第５の実施形態について要約して説明する。
【０２６７】
（１）空気清浄機は、部屋の側壁面の近傍の床上または卓上に設置され、室内の空気を取り入れるための吸込口と、この吸込口から取り入れて清浄化された空気を室内に送出するとともに側壁面から所定の間隔を隔てて配置される吹出口と、送風機と、この送風機と吹出口を連通する吹出流通路とを筐体内に備え、送風機の上流側かつ吸込口の下流側の空間にはフィルタ設置スペースが設けられ、このフィルタ設置スペースには、吸込口から取り入れられた空気中に存在する塵埃、および／または、物質を捕集・除去する空気清浄化手段と、吸込口から取り入れられた空気に湿度を含ませる加湿手段とが備えられ、送風機は送風機吸込口をフィルタ設置スペースに対向して設置するとともに送風機吹出口を上方に向けて設置し、吹出口はフィルタ設置スペースの鉛直上方に設けられたことを特徴とする。
【０２６８】
なお、フィルタ設置スペースには、例えば、吸込口から取り入れられた空気に含まれる塵埃、および／または、物質を捕集・除去する空気清浄化手段（例えばエアフィルタ、活性炭フィルタ、電気集塵装置、光触媒脱臭素子、等）と、吸込口から取り入れられた空気に湿度を含ませる加湿手段とが備えられる。
【０２６９】
この構成によると、フィルタ設置スペースの上方に広がるデッドスペースに吹出流通路の終端部と吹出口が配置される。例えば、空気清浄機の側断面が長方形断面の場合、吹出流通路は一辺の方向に設置されず、対角線の方向に配置される。長方形断面の対角線の長さは一辺の長さに比べて必ず長いため、予め設定された空気清浄機の筐体の占有体積中で、吹出流通路の長さがより延長される。
【０２７０】
これにより、例えば、吹出流通路の断面積を下流に行くほど緩やかに拡大するように構成すれば、吹出流通路内を流通する気流の風速は徐々に低下され、気流の運動エネルギーが効率良く静圧に変換される。すなわち、送風機（ファン）の受け持つ仕事である静圧上昇の一部が、上記の、運動エネルギーが変換されることにより生み出される静圧によってまかなわれるため、送風機（ファン）の仕事に必要となるエネルギーが少なくてすみ、少ない消費電力で所望の仕事をさせることができる。これにより、省エネ性の高い空気清浄機を得ることができる。
【０２７１】
（２）上記の構成の空気清浄機において、吹出流通路は、空気清浄機の後方に向かって傾斜することを特徴とする。望ましくは、上記の構成の空気清浄機において、吹出流通路は、空気清浄機の後方に向かって屈曲することを特徴とする。さらに望ましくは、上記の構成の空気清浄機において、吹出口は、空気清浄機の筐体の後面部（背面部）に設けられることを特徴とする。
【０２７２】
この構成によると、送風機は、空気清浄機の筐体の前面側または部屋の側壁面に遠い側に配置され、フィルタ設置スペースは、空気清浄機の筐体の後面側（背面側）または部屋の側壁面に近い側に配置され、吹出口はフィルタ設置スペースの鉛直上方であって空気清浄機の筐体の後面側（背面側）または部屋の側壁面に近い側に配置される。このような構成の空気清浄機の場合、吹出口から放出される音は、空気清浄機の後方または部屋の側壁面側に放出される。ところで、音波は直進性がよいので、放出された音が居住領域へ伝播するには、部屋の側壁面に反射して伝播することによって、または、吹出口から回折により伝播することによって、吹出口から直接使用者の居住領域へ伝播される音が大幅に減少する。さらに、吹出流通路内においても音が吹出流通路の壁面で反射する。
【０２７３】
吹出流通路が空気清浄機の後方に向かって傾斜する場合には、吹出流通路内を直進して伝播する音は、少なくとも１回は吹出流通路の壁面に衝突してその一部は吸収され、その他の部分は反射されるため、音は減衰する。また、反射された音の一部は干渉により減衰する。
【０２７４】
また、吹出流通路は、空気清浄機の後方に向かって屈曲する場合には、吹出流通路を直進して伝播する音は、少なくとも１回は吹出流通路の壁面に衝突してその一部は吸収され、その他の部分は反射されるため、音は減衰する。また、反射された音の一部は干渉により減衰する。さらに、吹出流通路のある部分で急激に風向を変更されることがないため、吹出流通路での圧力損失を低減できる。
【０２７５】
さらに、吹出口が空気清浄機の筐体の後面部（背面部）に設けられる場合には、吹出口から回折により伝播する音の回折の角度がさらに大きくなるため、それに伴い回折による音の減衰効果が大きくなり、居住領域へ伝播する音は大幅に減衰する。
【０２７６】
これにより、居住空間に伝播する騒音が大幅に減衰されるため、居住空間を静寂に保つことができる。なお、騒音が大幅に低減された分、ファンの回転数を増加するなどして送風機の送風量を増加すれば、空気清浄機の集塵性能を大幅に向上させることができる。
【０２７７】
（３）上記の構成の空気清浄機において、筐体の後面（背面）に吸込口を設け、吸込口の前面にフィルタ設置スペースを設け、フィルタ設置スペースの前面に送風機を設け、送風機の後方上方であってフィルタ設置スペースの上方に吹出口を設け、送風機、吹出流通路、および、吹出口からなる一連の経路は、筐体の底面前部（下部前方）から筐体の上部後方にかけて設けられ、清浄化空気は吹出口から筐体の後方上方に送出されることを特徴とする。
【０２７８】
言い換えれば、上記の構成の空気清浄機において、部屋の側壁面に対向するとともに、鉛直上方から見て、清浄化空気が送出される側の空気清浄機の側面に吸込口を設け、吸込口に対して部屋の側壁面と反対側にフィルタ設置スペースを設け、フィルタ設置スペースに対して部屋の側壁面と反対側に送風機を設け、送風機の上方かつ部屋の側壁面側であってフィルタ設置スペースの上方に吹出口を設け、送風機、吹出流通路、および、吹出口からなる一連の経路は、筐体の底面かつ部屋の側壁面から離れた位置から、筐体の頂面かつ部屋の側壁面に近接する位置にかけて設けられ、清浄化空気は吹出口から上方かつ部屋の側壁面に向けて送出されることを特徴とする。
【０２７９】
この構成によると、吸込口が後面側（背面側）に配置されるので、吸込口から放出される音が直接前面側、すなわち居住空間側への漏れが防止される。前面側の居住空間に音が伝わるまでに、音の進行方向が１８０°向きを変えられるので、回折効果により音が大幅に減衰される。
【０２８０】
これにより、居住空間に伝播する騒音が大幅に減衰されるため、居住空間を静寂に保つことができる。なお、騒音が大幅に低減された分、ファンの回転数を増加するなどして送風機の送風量を増加すれば、空気清浄機の集塵性能を大幅に向上させることができる。
【０２８１】
また、この構成によると、吸込口が後面（背面）に配置されるので、フィルタ設置スペースに設置される例えばエアフィルタに蓄積する塵埃が居住空間側から目立ちにくくなる。
【０２８２】
これにより、外観上の美観の課題が大きく軽減される。従来においては、空気清浄機の美観を保つ手段として、例えばパネルでエアフィルタ全体を覆い隠し、エアフィルタに蓄積する塵埃を目立ちにくくするといった手法が用いられてきた。しかし、この従来の構成によると、パネルの通風抵抗による圧力損失のため大幅に風量が低下し、同一の風量を確保するためには騒音が増加していた。上記のこの発明の構成によれば、吸込口の美観を保つ必要性も大きく軽減されるため、吸込口の圧力損失を大幅に低減することができ、空気清浄機の騒音を大幅に低減することができる。なお、騒音が大幅に低減された分、ファンの回転数を増加するなどして送風機の送風量を増加すれば、空気清浄機の集塵性能を大幅に向上させることができる。
【０２８３】
さらに、この構成によると、予め設定された空気清浄機の筐体の占有体積中で、吹出流通路の長さがより延長されるとともに、例えば、送風機の駆動モータや、空気清浄化手段、加湿手段といった、構成中の重量物が空気清浄機の筐体の下方に集約されるので、空気清浄機の重心は空気清浄機の筐体の下部に位置づけられる。
【０２８４】
これにより、上記の効果を得るとともに、空気清浄機の筐体の高さが高い場合においても、転倒しにくく、空気清浄機の姿勢を安定に保つことができる。
【０２８５】
（４）上記の構成の空気清浄機において、送風機および／または吹出流通路のさらに前面に、遮音部を設けたことを特徴とする。
【０２８６】
言い換えれば、上記の構成の空気清浄機において、送風機および／または吹出流通路に対して、部屋の側壁面と反対側に遮音部を設けたことを特徴とする。
【０２８７】
この構成によると、居住領域に最も近接して配置される送風機および／または吹出流通路から発生する音が居住領域に伝播する経路に遮音部が配置され、送風機および／または吹出流通路から発生する音の一部は遮音部により遮音される。
【０２８８】
これにより、居住空間に伝播する騒音がさらに減衰されるため、居住空間を静寂に保つことができる。なお、騒音が低減された分、ファンの回転数を増加するなどして送風機の送風量を増加すれば、空気清浄機の集塵性能をさらに向上させることができる。
【０２８９】
（５）上記の構成の空気清浄機において、送風機および／または吹出流通路のさらに前面に、吸音部を設けたことを特徴とする。
【０２９０】
言い換えれば、上記の構成の空気清浄機において、送風機および／または吹出流通路に対して、部屋の側壁面と反対側に吸音部を設けたことを特徴とする。
【０２９１】
この構成によると、居住領域に最も近接して配置される送風機および／または吹出流通路から発生する音が居住領域に伝播する経路に吸音部が配置され、送風機および／または吹出流通路から発生する音の一部は吸音部により吸音される。
【０２９２】
これにより、居住空間に伝播する騒音がさらに減衰されるため、居住空間を静寂に保つことができる。なお、騒音が低減された分、ファンの回転数を増加するなどして送風機の送風量を増加すれば、空気清浄機の集塵性能をさらに向上させることができる。
【０２９３】
（６）上記の構成の空気清浄機において、フィルタ設置スペースには、吸込口から取り入れられた空気に湿度を含ませる加湿手段が備えられ、送風機および／または吹出流通路のさらに前面に、加湿手段に供給する水を保持する水保持手段を設けたことを特徴とする。
【０２９４】
言い換えれば、上記の構成の空気清浄機において、フィルタ設置スペースには、吸込口から取り入れられた空気に湿度を含ませる加湿手段が備えられ、送風機および／また吹出流通路に対して部屋の側壁面と反対側に、加湿手段に供給する水を保持する水保持手段を設けたことを特徴とする。
【０２９５】
この構成によると、居住領域に最も近接して配置される送風機および／または吹出流通路から発生する音が居住領域に伝播する経路に水保持手段が配置される。この水保持手段が遮音壁の役割を果たし、遮音効果をもたらすため、送風機および／または吹出流通路から発生する音の一部は水保持手段により遮音される。
【０２９６】
これにより、居住空間に伝播する騒音が減衰されるため、居住空間を静寂に保つことができる。なお、騒音が低減された分、ファンの回転数を増加するなどして送風機の送風量を増加すれば、空気清浄機の集塵性能を向上させることができる。
【０２９７】
また、水保持手段が遮音部の役割を果たすため、別途遮音部を設ける必要がなく、省スペースとなるとともに、低コストで静寂な空気清浄機を得ることができる。
【０２９８】
（７）上記の構成の空気清浄機において、吹出流通路は、清浄化空気の送出方向が鉛直上方に対して傾斜する方向と同じ方向に傾斜するとともに、吹出流通路の傾斜角度が鉛直上方に対してなす角度をψとすると、その角度ψを
０＜ψ≦θ
の範囲内の角度に設定して、筐体の内部に配置されることを特徴とする。
【０２９９】
この構成によると、送風機から送出された清浄化空気は、吹出流通路のある部分で急激に風向を変更されることなく、吹出流通路を流通する間に段階的に風向を変え、上記の設定されたなす角度にて吹出口から送出される。
【０３００】
これにより、吹出流通路での圧力損失を低減でき、送風効率を向上させることができるため、少ない消費電力で同一の集塵性能を得ることができ、省エネ性の高い空気清浄機を得ることができる。また、同一の風量を得るために必要なファンの回転数を低下することができ、騒音を低減することができ、静寂な空気清浄機を得ることができる。
【０３０１】
（８）上記の構成の空気清浄機において、吹出流通路を形成する吹出流通路の壁面のうち、部屋の側壁面から最も遠い位置に配置される吹出流通路の壁面の側断面形状は、中心角が上記のθ°の円弧で形成されており、送風機に連通する位置で送風機のケーシングの壁面と正接してなることを特徴とする。
【０３０２】
この構成によると、送風機から送出された清浄化空気は、吹出流通路のある部分で急激に風向を変更されることなく、吹出流通路を流通する間に徐々に滑らかに風向を変え、上記の設定されたなす角度にて吹出口から送出される。
【０３０３】
これにより、吹出流通路での圧力損失を低減でき、送風効率を向上させることができるため、少ない消費電力で同一の集塵性能を得ることができ、省エネ性の高い空気清浄機を得ることができる。また、同一の風量を得るのに必要なファンの回転数を低下することができ、騒音を低減することができ、静寂な空気清浄機を得ることができる。
【０３０４】
（比較の形態）
以下に本発明の比較の形態について図面を参照して説明する。
【０３０５】
図３２は本発明の比較の形態の空気清浄機を模式的に示す側面断面図である。
【０３０６】
図３２に示すように、空気清浄機５０は、床面Ｆの上または卓上に設置され、部屋の側壁面Ｗ１の近傍に配置されて用いられる空気清浄機である。空気清浄機５０は、本体と、この本体に設けられ、室内の空気を取り入れるための吸込口５０２２と、本体に設けられ、吸込口５０２２から取り入れられた空気中に存在する塵埃、および／または、物質を除去する除去手段としてのエアフィルタ５０５０と、本体に設けられ、エアフィルタ５０５０で処理された空気を室内に送り出すための吹出口５０３１と、本体に設けられ、吸込口５０２２から吹出口５０３１まで空気を移動させるための送風手段としての送風機５０７０を備えている。
【０３０７】
空気清浄機５０の本体は筐体５０００によって保持されている。筐体５０００は床面Ｆの上に設置され、前面（正面）５０１０と後面（背面）５０２０と頂面（天面）５０３０と、床面Ｆに接触する底面５０４０とを有する。筐体５０００の後面５０２０は多数の格子状の吸込口５０２２が設けられた穴あきパネル５０２１にて覆われている。ここで、鉛直上方から見て、清浄化された空気が矢印Ｖで示される方向に送り出される側の空気清浄機５０の側面を前面５０１０側、その反対側を後面５０２０側とする。
【０３０８】
筐体５０００は、後面５０２０側を部屋の側壁面Ｗ１に対向させて側壁面Ｗ１から、所定の間隔を設けて床面Ｆの上に設置される。筐体５０００の頂面５０３０には、吹出口５０３１が設けられている。吹出口５０３１は筐体５０００の幅方向に延びる略矩形状に形成され、前方上方に臨んで設けられている。
【０３０９】
筐体５０００の内部には、吸込口５０２２から吹出口５０３１に連通する吸込流通路５０６０および吹出流通路５０８０とかなる送風経路が形成されている。送風経路内には空気を送出する送風機５０７０が配置されている。送風機５０７０に用いられるファンとしては、シロッコファン５０７１が用いられる。送風経路のうち、シロッコファン５０７１の下流側には、シロッコファン５０７１から吹出口５０３１に至るまで空気が流れる吹出流通路５０８０が形成されている。吹出流通路５０８０によって、シロッコファン５０７１により送出される空気を前方上方に案内する。吹出流通路５０８０の断面積は、吹出口５０３１に近づくほど、下流に行くほど拡大する。吹出流通路５０８０は、図２と図３に示されるものと同様の構成を有する。
【０３１０】
比較の形態の空気清浄機５０では、吹出流通路５０８０を人が存在する空間（空気を清浄化したい空間）の方向へ傾斜させている。その他の部分は実施形態１−１と同様である。
【０３１１】
比較の形態の空気清浄機５０によると、吹出口５０３１から清浄化空気を鉛直上方に対してｔａｎ−１（Ｌ／Ｈ）＜θ≦３５の範囲内で選ばれた一つの角度をなして空気を清浄化したい空間側へ送出して天井面に到達させている。斜め方向から天井面に衝突するため、気流は、衝突した壁面に対してなす角度が鋭角になる方向には流れにくい。つまり、衝突した壁面に対してなす角度が鈍角になる方向（空気を清浄化したい空間側）に流れやすいため、気流が鉛直上方（θ＝０°）に送出される場合よりも空気を清浄化したい空間側へ流れる気流が多くなる。すなわち、空気を清浄化したい空間側へ意図して気流を送出することができ、気流の到達距離が延長される。
【０３１２】
従って、人が存在する空間（空気を清浄化したい空間）の方向へ吹出流通路５０８０が傾斜しているため、低騒音化の効果はやや劣るが、第１の実施形態とほぼ同等の効果が得られる。
【０３１３】
ここで、吹出口５０３１から清浄化空気が鉛直上方に対して３５°よりも大きな角度をなして空気を清浄化したい空間側へ送出される場合は、不快なドラフト感により風ストレスを与える恐れがある。
【０３１４】
次に、上述した実施形態１−１（図１）、実施形態１−２（図２４）、実施形態３−１（図２８）、実施形態３−２（図２９）、比較の形態（図３２）の空気清浄機を用いて測定した騒音の結果について、従来の空気清浄機（図３４）と比較して説明する。
【０３１５】
図３３は空気清浄機の風量と騒音の関係を示す図である。横軸は、空気清浄機の風量（単位：ｍ３／ｍｉｎ）、縦軸は、空気清浄機の前面、左右側面、および、天面の中央からそれぞれ１ｍ離れた位置における騒音の平均値（単位：ｄＢ）を示している。
【０３１６】
まず、図３３に示された測定結果において、実施形態１−１の空気清浄機（図中□）と従来技術の空気清浄機（図中●）を比較する。
【０３１７】
実施形態１−１の空気清浄機は、吸込口を後面側（背面側）に配置することによって、吸込口からの音が直接前面側へ漏れることを防止している。前面側へ音が伝わるまでに、音の進行方向は１８０°向きを変えられることになり、その間に回折効果で音が減衰することによって、低騒音化することができる。また、吸込口を後面側（背面側）に配置することにより、フィルターに蓄積する塵埃を目立たなくする等の外観上の問題が解消される。つまり、パネルでフィルター全体を覆う必要性も解消されるため、パネルの通風抵抗を大幅に低減することが可能となり、低騒音化が可能となる。
【０３１８】
また、吹出流通路を傾斜させ、鉛直上方から見て吹出口からシロッコファンが見えないようにしているため、吹出流通路において少なくとも１回は吹出流通路を形成する壁面に衝突することになる。音が壁面に衝突すると反射されるが、そのすべてがそのまま反射されるわけではなく、一部は透過し、また、一部は壁面に衝突した際に熱エネルギーや、壁面の振動エネルギーとして失われ、減衰する。また、音が反射されると吹出流通路内で音の干渉が生じやすくなり、さらに音が減衰することになり、低騒音化することができる。
【０３１９】
さらに、吹出流通路を人が存在する空間と反対方向に傾斜させることにより、吹出口から放出された音は従来よりも回折して人が存在する空間へと伝播することになるため、音の減衰効果が高まり、低騒音化することができる。
【０３２０】
従って、実施形態１−１の空気清浄機は、従来技術の空気清浄機に比べて、風量が約４ｍ３／ｍｉｎのとき、約４ｄＢの低騒音化ができる。
【０３２１】
次に、実施形態３−１の空気清浄機（図中△）と、従来技術の空気清浄機（図中●）を比較する。
【０３２２】
実施形態３−１の空気清浄機は、実施形態１−１の吹出口が空気清浄機の後面側（背面側）の壁面に対向するように設けられている。すなわち、実施形態３−１の空気清浄機では、実施形態１−１の空気清浄機よりも吹出口から放出される音の回折効果が高まり、低騒音化することができる。
【０３２３】
従って、実施形態３−１の空気清浄機は、従来技術の空気清浄機に比べて、風量が約４ｍ３／ｍｉｎのとき、約４．５ｄＢの低騒音化ができる。
【０３２４】
次に、実施形態３−２の空気清浄機（図中◆）と従来技術の空気清浄機（図中●）を比較する。
【０３２５】
実施形態３−２の空気清浄機は、実施形態１−１の吹出流通路を人が存在する空間と反対方向に屈曲させ、吹出口が空気清浄機の後面側（背面側）の壁面に対向するように設けられている。すなわち、実施形態３−２の空気清浄機では、吹出流通路を滑らかに屈曲させているので、吹出流通路のある部分で急激に風向を変更されることなく、吹出流通路を流通する間に徐々に滑らかに風向を変更されるため、実施形態１−１の空気清浄機よりも吹出流通路の流路抵抗の増加を抑制できる。また、吹出口が空気清浄機の後面側（背面側）の壁面に対向するように設けられているので、実施形態１−１の空気清浄機よりも吹出口から放出される音の回折効果が高まり、実施形態３−１とほぼ同様の低騒音化の効果が得られる。
【０３２６】
従って、実施形態３−２の空気清浄機は、実施形態１−１の空気清浄機よりも吹出流通路の流路抵抗の増加を抑制でき、実施形態３−１の空気清浄機とほぼ同様の低騒音化の効果が得られるため、従来技術の空気清浄機に比べて、風量が約４ｍ３／ｍｉｎのとき、約４．５ｄＢの低騒音化ができる。
【０３２７】
次に、実施形態１−２の空気清浄機（図中○）と従来技術の空気清浄機（図中●）を比較する。
【０３２８】
実施形態１−２の空気清浄機は、実施形態１−１の送風機とシロッコファンの部分の送風経路が吹出流通路と同様に傾斜しているため、実施形態１−１よりも吹出流通路内での反射、干渉による効果は損なわれるが、従来技術の空気清浄機に比べて、風量が約４ｍ３／ｍｉｎのとき、約３ｄＢの低騒音化ができる。
【０３２９】
次に、比較の形態の空気清浄機（図中×）と従来技術の空気清浄機（図中●）を比較する。
【０３３０】
比較の形態の空気清浄機は、実施形態１−１の吹出流通路を人が存在する空間側へ傾斜させているため、吹出口から放出される音の回折効果は大きく損なわれるが、従来技術の空気清浄機に比べて、風量が約４ｍ３／ｍｉｎのとき、約２ｄＢの低騒音化ができる。
【０３３１】
最後に、本発明の空気清浄機の設置方法について説明する。空気清浄機の構成は図１〜図３に示す第１の実施形態と同一である。本発明の空気清浄機の設置方法においては、上述したように、気流の鉛直上方に対する角度と、部屋の側壁面との位置関係が極めて重要である。
【０３３２】
上記の空気清浄機は、吹出口から送出される清浄化空気の進行方向と、吹出口から送出される清浄化空気が最初に壁面に衝突した後に空気が壁面に沿って進行する方向とのなす角度が鈍角になるように配置される。言い換えれば、吹出口から送出される清浄化空気の流束（流れの束）と、吹出口から送出される清浄化空気が最初に壁面に衝突する箇所における清浄化空気の流束とを連通して清浄化空気が流通する気流の流束を含んだ面と、側壁面とのなす角度の大きさは、空気を清浄化したい空間側に鈍角となるように、空気清浄機が配置される。そして、上記の角度の大きさは、空気を清浄化したい空間（居住空間、人が存在する空間）側に１４５°〜１７０°の範囲となるように配置される。
【０３３３】
また、上記の空気清浄機は、吹出口から送出される清浄化空気の流束（流れの束）と、吹出口から送出される清浄化空気が最初に壁面に衝突する箇所における清浄化空気の流束とを連通して清浄化空気が流通する気流の流束を含んだ面で、空気清浄機が設置された部屋に内包する空間を２分割したとき、２分割された空間のうち大きい方の空間に使用者の居住領域が配され、かつ、最初に壁面に衝突した後の気流の主たる進行方向が２分割された空間のうち大きい方になるように配置される。また、吸込口は、２分割された空間のうち小さい方の空間に面するように設けられる。
【０３３４】
上記の配置によれば、第１の実施形態に記載の空気清浄機の効果を確実に得ることができる。
【０３３５】
以上により、本発明に係る空気清浄機を第１〜第５の実施形態により説明したが、本発明は上記の実施形態に限定されるわけではなく、本発明の趣旨を逸脱しない範囲で適宜の変更を加えて実施することができる。
【０３３６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０３３７】
【図１】実施形態１−１の空気清浄機を模式的に示す側面断面図である。
【図２】図１に示される空気清浄機の吹出流通路を拡大して示す部分側面断面図である。
【図３】図２のＩＩＩＡ方向から見た吹出流通路を示す断面図（Ａ）、図２の吹出流通路において角度関係を示す断面図（Ｂ）である。
【図４】空気清浄機の配置と空気清浄機による部屋の集塵性能を測定する測定位置を示す図である。
【図５】集塵性能を測定するために用いられた気密性の高い部屋（Ａ）と気密性の低い部屋（Ｂ）を模式的に示す図である。
【図６】粉塵性能の測定結果として、本発明の空気清浄機と従来の空気清浄機を、約３０畳相当の図５の（Ａ）に示す気密性の高い部屋にて運転した場合の、空気清浄機の前面方向へ遠く離れた図４に示す測定位置における、粉塵濃度の減衰を表す図である。
【図７】本発明の空気清浄機と従来の空気清浄機を、約３０畳相当の図５の（Ｂ）に示す気密性の低い部屋にて運転した場合の、空気清浄機の前面方向へ遠く離れた図４に示す測定位置における、粉塵濃度の減衰を表す図である。
【図８】空気清浄機の配置と空気清浄機による風速を測定する測定位置を示す図である。
【図９】風速の測定結果を示す図である。
【図１０】空気清浄機の配置と空気清浄機による風速を測定する測定位置を示す図である。
【図１１】進行方向計測点と横方向測定点における風速の測定結果を示す図である。
【図１２】空気清浄機の配置と空気清浄機による風速を測定する測定位置を示す図である。
【図１３】風速の測定結果を示す図である。
【図１４】従来技術の空気清浄機の室内気流を模式的に示した断面図である。
【図１５】従来技術の空気清浄機の室内気流（壁面に沿った気流）を模式的に示した展開図である。
【図１６】本発明の空気清浄機の室内気流を模式的に示した断面図である。
【図１７】本発明の空気清浄機の室内気流（壁面に沿った気流）を模式的に示した展開図である。
【図１８】従来の空気清浄機から送出される気流の場合と本発明の空気清浄機から送出される気流の場合において、部屋の空間を循環する気流の経路を、ＣＦＤ（Computational Fluid Dynamics）解析（コンピュータシミュレーション）を用いて可視化した結果を示す図である。
【図１９】気密性の低い部屋において、従来技術の空気清浄機を設置した場合の隙間近傍の様子を模式的に示した断面図である。
【図２０】気密性の低い部屋において、本発明の空気清浄機を設置した場合の隙間近傍の様子を模式的に示した断面図である。
【図２１】従来の空気清浄機を運転したときの粉塵濃度の時間的変化を示す図である。
【図２２】本発明の空気清浄機を運転したときの粉塵濃度の時間的変化を示す図である。
【図２３】シロッコファンの高さと吹出流通路を形成する前壁の長さとの関係を示す概略的な断面図である。
【図２４】実施形態１−２の空気清浄機を模式的に示す側面断面図である。
【図２５】実施形態２−１の空気清浄機を模式的に示す側面断面図である。
【図２６】実施形態２−２の空気清浄機を模式的に示す側面断面図である。
【図２７】実施形態２−３の空気清浄機を模式的に示す側面断面図である。
【図２８】実施形態３−１の空気清浄機を模式的に示す側面断面図である。
【図２９】実施形態３−２の空気清浄機を模式的に示す側面断面図である。
【図３０】実施形態４−１の空気清浄機を模式的に示す側面断面図である。
【図３１】実施形態４−２の空気清浄機を模式的に示す側面断面図である。
【図３２】本発明の比較の形態の空気清浄機を模式的に示す側面断面図である。
【図３３】空気清浄機の風量と騒音の関係を示す図である。
【図３４】従来の空気清浄機の一例を模式的に示す側面断面図である。
【図３５】従来の空気清浄機の一例を模式的に示す側面断面図である。
【符号の説明】
【０３３８】
１：空気清浄機、１００：筐体、１１０：前面、１２０：後面、１３０：頂面、１４０：底面、１２２：吸込口、１３１：吹出口、１５０：エアフィルタ、１７０：送風機、１７１：シロッコファン、１８０：吹出流通路、１９０：操作部、Ｗ１：側壁面。
【要約】
【課題】気流の循環効率を高めることにより、風量を増加することなく、室内の空気環境の改善効果を大きく高めることができる空気清浄機を提供する。
【解決手段】空気清浄機１は、床面Ｆ上に設置され、部屋の側壁面Ｗ１の近傍に配置されて用いられ、吸込口１２２とエアフィルタ１５０と吹出口１３１と送風機１７０とを備える。吹出口１３１の中央位置から部屋の側壁面Ｗ１までの距離をＬ［ｍｍ］、吹出口１３１の中央位置から部屋の天井面までの距離をＨ［ｍｍ］とし、距離Ｌが１００＜Ｌ＜６００の範囲で選ばれた位置に空気清浄機１が配置されて用いられるときに、吹出口１３１から送り出される空気を最初に室内の側壁面Ｗ１に到達させるために、吹出口１３１から送り出される空気の流れる方向が鉛直上方向に対してなす角度θ［°］をｔａｎ−１（Ｌ／Ｈ）＜θ≦３５の範囲に設定する。
【選択図】図１【図１】
0004118316.tif 000013
【図２】
0004118316.tif 000014
【図３】
0004118316.tif 000015
【図４】
0004118316.tif 000016
【図５】
0004118316.tif 000017
【図６】
0004118316.tif 000018
【図７】
0004118316.tif 000019
【図８】
0004118316.tif 000020
【図９】
0004118316.tif 000021
【図１０】
0004118316.tif 000022
【図１１】
0004118316.tif 000023
【図１２】
0004118316.tif 000024
【図１３】
0004118316.tif 000025
【図１４】
0004118316.tif 000026
【図１５】
0004118316.tif 000027
【図１６】
0004118316.tif 000028
【図１７】
0004118316.tif 000029
【図１８】
0004118316.tif 000030
【図１９】
0004118316.tif 000031
【図２０】
0004118316.tif 000032
【図２１】
0004118316.tif 000033
【図２２】
0004118316.tif 000034
【図２３】
0004118316.tif 000035
【図２４】
0004118316.tif 000036
【図２５】
0004118316.tif 000037
【図２６】
0004118316.tif 000038
【図２７】
0004118316.tif 000039
【図２８】
0004118316.tif 000040
【図２９】
0004118316.tif 000041
【図３０】
0004118316.tif 000042
【図３１】
0004118316.tif 000043
【図３２】
0004118316.tif 000044
【図３３】
0004118316.tif 000045
【図３４】
0004118316.tif 000046
【図３５】
0004118316.tif 000047